(57)【特許請求の範囲】
【請求項１】
所定の機能を実現するための動作を行う第１動作ユニットと、
上記所定の機能を実現するために上記第１動作ユニットとは異なる動作を行い、かつ第１動作ユニットより電力消費が少ない第２動作ユニットと、
上記第１動作ユニット及び上記第２動作ユニットのそれぞれが上記所定の機能を実現するための動作を行うときに必要となる所定の動作を行うユニットであり、かつ、上記第１動作ユニット及び上記第２動作ユニットが共有しているユニットである第３動作ユニットとを含み、さらに、
上記第１動作ユニットへの電力供給状態を判別する電力供給状態判別手段と、
上記電力供給状態判別手段の判別結果に基づき、上記第１動作ユニットまたは上記第２動作ユニットを動作させる動作ユニット制御手段と、を備えることを特徴とする電力動作装置。
【請求項２】
上記電力供給状態判別手段及び上記動作ユニット制御手段を内蔵していることを特徴とする請求項１に記載の電力動作装置。
【請求項３】
上記動作ユニット制御手段は、上記電力供給状態判別手段により上記第１動作ユニットへの電力供給状態が良好であると判別されたときには、上記第１動作ユニットを動作させ、
上記電力供給状態判別手段により上記第１動作ユニットへの電力供給状態が良好でないと判別されたときには、上記第２動作ユニットを動作させることを特徴とする請求項１または２に記載の電力動作装置。
【請求項４】
上記第３動作ユニットの電力消費動作モードを決定するモード決定手段をさらに備え、
上記モード決定手段は、上記動作ユニット制御手段が上記第１動作ユニット及び上記第２動作ユニットのいずれを動作させるかに従って、上記電力消費動作モードを決定することを特徴とする請求項１〜３のいずれか１項に記載の電力動作装置。
【請求項５】
上記第１動作ユニットには上記電力動作装置の外部から電力供給され、上記第２動作ユニットには上記電力動作装置が備える内部電源から電力供給されることを特徴とする請求項１〜４のいずれか１項に記載の電力動作装置。
【請求項６】
請求項１に記載の電力動作装置としての、食品を保存する食品保存装置であって、
上記第１動作ユニットは、冷媒により食品を冷却する食品冷却装置であり、
上記第２動作ユニットは、自装置内の気体を圧縮することにより自装置の内部を真空状態にして食品を保存する真空保存装置であり、
上記第３動作ユニットは、上記冷媒及び上記気体を圧縮することが可能なコンプレッサであることを特徴とする食品保存装置。
【請求項７】
請求項１に記載の電力動作装置としての、屋内を冷却する屋内冷却装置であって、
上記第１動作ユニットは、冷媒により屋内を冷却する第１冷却装置であり、
上記第２動作ユニットは、液体を循環かつ気化させることにより屋内を冷却する第２冷却装置であり、
上記第３動作ユニットは、上記冷媒及び上記液体を圧縮することが可能なコンプレッサであることを特徴とする屋内冷却装置。
【請求項８】
請求項１に記載の電力動作装置としての、情報記録媒体に記録された情報を再生する情報再生装置であって、
上記第１動作ユニットは、第１情報記録媒体に記録された情報を再生するために駆動する第１駆動装置であり、
上記第２動作ユニットは、第２情報記録媒体に記録された情報を再生するために駆動する第２駆動装置であり、
上記第３動作ユニットは、上記第１情報記録媒体及び上記第２情報記録媒体に記録された情報をデコードすることが可能なデコーダであることを特徴とする情報再生装置。
【請求項９】
請求項１に記載の電力動作装置としての、情報記録媒体に記録された情報を記録する情報記録装置であって、
上記第１動作ユニットは、第１情報記録媒体に情報を記録するために駆動する第１駆動装置であり、
上記第２動作ユニットは、第２情報記録媒体に情報を記録するために駆動する第２駆動装置であり、
上記第３動作ユニットは、上記第１情報記録媒体及び上記第２情報記録媒体に記録される情報をエンコードすることが可能なエンコーダであることを特徴とする情報記録装置。
【請求項１０】
所定の機能を実現するための動作を行う第１動作ユニットと、
上記所定の機能を実現するために上記第１動作ユニットとは異なる動作を行い、かつ第１動作ユニットより電力消費が少ない第２動作ユニットと、
上記第１動作ユニット及び上記第２動作ユニットのそれぞれが上記所定の機能を実現するための動作を行うときに必要となる所定の動作を行うユニットであり、かつ、上記第１動作ユニット及び上記第２動作ユニットが共有しているユニットである第３動作ユニットとを含み、さらに、
上記第１動作ユニットへの電力供給状態を判別する電力供給状態判別手段と、
上記電力供給状態判別手段の判別結果に基づき、上記第１動作ユニットまたは上記第２動作ユニットを動作させる動作ユニット制御手段と、を備える動作ユニット制御装置に接続されていることを特徴とする電力動作装置。
【請求項１１】
電力動作装置が、所定の機能を実現するための動作を行う第１動作ユニットと、上記所定の機能を実現するために上記第１動作ユニットとは異なる動作を行い、かつ第１動作ユニットより電力消費が少ない第２動作ユニットと、上記第１動作ユニット及び上記第２動作ユニットのそれぞれが上記所定の機能を実現するための動作を行うときに必要となる所定の動作を行うユニットであり、かつ、上記第１動作ユニット及び上記第２動作ユニットが共有しているユニットである第３動作ユニットとを含み、
上記第１動作ユニットへの電力供給状態を判別する電力供給状態判別ステップと、
上記電力供給状態判別ステップでの判別結果に基づき、上記第１動作ユニットまたは上記第２動作ユニットを動作させる動作ユニット制御ステップと、
を含むことを特徴とする電力動作装置の制御方法。
【発明の詳細な説明】
【技術分野】
【０００１】
本発明は、電力により動作する電力動作装置などに関する。
【背景技術】
【０００２】
近年、省電力化を図るために様々な工夫がなされた電力動作装置が開発されている。その電力動作装置の一例として特許文献１及び２の技術が挙げられる。
【０００３】
例えば、特許文献１では、外部電力が安定して得られない状況下において（例えば、停電時や電気の通じていない離島などで商業電源が使えない場合に）、商用電源からの電力供給から自装置内蔵の補助電源からの電力供給に切り替えることにより超音波診察を継続できる超音波診断装置が開示されている。
【０００４】
また、特許文献２では、給電状況や環境の明るさによってキーの照明を停止あるいは減光することにより、動作時間に対するキー照明用消費電力の影響を小さくできる超音波診断装置が開示されている。
【０００５】
この他、装置の省電力化を図った電力駆動装置の一例として特許文献３の技術が挙げられる。特許文献３では、電源を内蔵したガス検知システムにおいて、常時、低濃度域に感度をもつ低消費電力のセンサを動作させ、ある閾値を越えた場合にのみ高濃度域の感度をもつ高消費電力のセンサを動作させることが開示されている。
【先行技術文献】
【特許文献】
【０００６】
【特許文献１】特開平１１−１３７５４５号公報（１９９９年５月２５日公開）
【特許文献２】特開２００６−３０５３０３号公報（２００６年１１月９日公開）
【特許文献３】特開２００７−１７２０８号公報（２００７年１月２５日公開）
【発明の概要】
【発明が解決しようとする課題】
【０００７】
しかしながら、電力動作装置に対する外部電力の供給状態が、比較的長期に停止あるいは変動する環境下にある場合、たとえ装置がバッテリーなどの内部電源を内蔵していたとしても、装置が消費する電力量によっては、電力の供給状態が回復するまでに装置が止まってしまい、本来確保されるべき装置の機能を得ることが出来ないことがある。
【０００８】
例えば、特許文献１の装置では、停電時に補助電源に切り替えているが、一般に補助電源が供給できる電力量は少ないため、停電が長期化した場合には使用できなくなってしまう可能性があった。また、特許文献１には、停電時に装置の機能を維持し電力量の抑制を図るために、所定の動作を制限する旨の開示はあるが、当該機能を実現可能で電力量の少ない部材への切替を行うことについては一切開示されていない。
【０００９】
さらに、特許文献１においては、外部電力が安定して得られない状況下において、商用電源から補助電源へ電力供給源を切り替える超音波診断装置に関してのみ開示されており、一般的な電力動作装置に関する記載は一切見られず、外部電力が安定して得られない状況下において、本来得られるべき機能が実現されている状態を維持することができる電力動作装置は実現できていなかった。
【００１０】
また、特許文献２の装置は、キーの照明を、周囲の明るさ及び電池残量に基づいて変化させているが、そのキーの照明という機能を実現するための光源に代替する部材を備えているわけではない。そのため、当該装置では、光源への電力供給を停止した場合には、上記機能を実現することができなくなってしまい、本来得られるべき機能が実現されている状態を維持することができなかった。
【００１１】
また、特許文献３の装置は、装置の電力消費を低減させるために、ガス濃度が高濃度となった場合にのみ電力消費が多い第２のガスセンサを動作させているが、この場合第２のガスセンサのみを動作させているわけではない。また、当該装置は、そもそも第１のガスセンサへの電力供給状態に基づいて第２のガスセンサを動作させるものではない。
【００１２】
本発明は、上記の問題を解決するためになされたもので、その目的は、所定の機能を実現する動作ユニットへの電力供給状態が、比較的長期に停止、または不安定になったときでも、本来得られるべき機能が実現されている状態を維持することが可能な電力動作装置などを提供することにある。
【課題を解決するための手段】
【００１３】
本発明に係る電力動作装置は、上記の課題を解決するために、所定の機能を実現するための動作を行う第１動作ユニットと、上記所定の機能を実現するために上記第１動作ユニットとは異なる動作を行い、かつ第１動作ユニットより電力消費が少ない第２動作ユニットと、を含み、さらに、上記第１動作ユニットへの電力供給状態を判別する電力供給状態判別手段と、上記電力供給状態判別手段の判別結果に基づき、上記第１動作ユニットまたは上記第２動作ユニットを動作させる動作ユニット制御手段と、を備えることを特徴としている。
【００１４】
また、本発明に係る電力動作装置の制御方法は、電力動作装置が、所定の機能を実現するための動作を行う第１動作ユニットと、上記所定の機能を実現するために上記第１動作ユニットとは異なる動作を行い、かつ第１動作ユニットより電力消費が少ない第２動作ユニットと、を含み、上記第１動作ユニットへの電力供給状態を判別する電力供給状態判別ステップと、上記電力供給状態判別ステップでの判別結果に基づき、上記第１動作ユニットまたは上記第２動作ユニットを動作させる動作ユニット制御ステップとを含むことを特徴としている。
【００１５】
上記構成によれば、電力動作装置は、所定の機能を実現するための動作を行う第１動作ユニットと、当該所定の機能を実現するが第１動作ユニットの動作とは異なり、かつ、第１動作ユニットより電力消費が少ない第２動作ユニットとを備えている。
【００１６】
このため、これらの動作ユニットのいずれを動作させても所定の機能を実現することができる。
【００１７】
また、電力供給状態判別手段（電力供給状態判別ステップ）が第１動作ユニットへの電力供給状態を判別した判別結果に基づき、動作ユニット制御手段（動作ユニット制御ステップ）が第１動作ユニットまたは第２動作ユニットを動作させる。
【００１８】
このため、第１動作ユニットへの電力供給状態に基づいて、第１動作ユニット及び第２動作ユニットのいずれかを動作させ、所定の機能を実現することができる。また、電力供給状態判別手段及び動作ユニット制御手段の上記の処理により、例えば第１動作ユニットへの電力供給状態が良好でなくなった（電力供給が不安定となった）場合に電力消費が少ない第２動作ユニットを動作させ、再び良好となった（電力供給が安定した）場合には第１動作ユニットを動作させることにより、所定の機能を実現し、かつ、電力供給状態の変化に対応することができる。
【００１９】
それゆえ、電力動作装置およびその制御方法では、上記電力供給状態が長期的に停止あるいは不安定となっても所定の機能を省電力に実現することができるので、当該電力供給状態が再び安定するまでに電力動作装置が停止する可能性を低減させることができる。すなわち、上記電力供給状態が長期的に停止あるいは不安定となったときでも本来得られるべき機能を実現している状態を維持することができる。
【００２０】
また、本発明に係る電力動作装置では、上記電力供給状態判別手段及び動作ユニット制御手段を内蔵していることが好ましい。
【００２１】
上記構成によれば、電力供給状態判別手段及び動作ユニット制御手段を内蔵することにより、装置全体として小型化を図ることができる。
【００２２】
また、本発明に係る電力動作装置では、上記動作ユニット制御手段は、上記電力供給状態判別手段により上記第１動作ユニットへの電力供給状態が良好であると判別されたときには、上記第１動作ユニットを動作させ、上記電力供給状態判別手段により上記第１動作ユニットへの電力供給状態が良好でないと判別されたときには、上記第２動作ユニットを動作させることが好ましい。
【００２３】
上記構成によれば、上記電力供給状態が良好でない場合には電力消費が少ない第２動作ユニットを動作させるので、電力動作装置が停止する可能性を低減させることができる。
【００２４】
また、本発明に係る電力動作装置は、上記第１動作ユニット及び上記第２動作ユニットのそれぞれが上記所定の機能を実現するための動作を行うときに必要となる所定の動作を行う第３動作ユニットをさらに備え、上記第１動作ユニット及び上記第２動作ユニットは、上記第３動作ユニットを共有していることが好ましい。
【００２５】
上記構成によれば、電力動作装置は、第１動作ユニット及び第２動作ユニットが所定の機能を実現するための動作を行うときに必要となる所定の動作を行う第３動作ユニットを共有している。このため、当該所定の動作を行うための動作ユニットを第１動作ユニットおよび第２動作ユニットそれぞれに備えておく必要がないので、安価な電力動作装置を製造できる。
【００２６】
また、本発明に係る電力動作装置は、上記第３動作ユニットの電力消費動作モードを決定するモード決定手段をさらに備え、上記モード決定手段は、上記動作ユニット制御手段が上記第１動作ユニット及び上記第２動作ユニットのいずれを動作させるかに従って、上記電力消費動作モードを決定することが好ましい。
【００２７】
上記構成によれば、モード決定手段が、動作ユニット制御手段が動作させる第１動作ユニットまたは第２動作ユニットに従って第３動作ユニットの電力消費動作モードを決定する。このため、第１動作ユニットまたは第２動作ユニットに共有の第３動作ユニットを、第１動作ユニットまたは第２動作ユニットに必要となる電力供給量にあわせて動作させることができる。
【００２８】
また、本発明に係る電力動作装置では、上記第１動作ユニットには上記電力動作装置の外部から電力供給され、上記第２動作ユニットには上記電力動作装置が備える内部電源から電力供給されることが好ましい。
【００２９】
上記構成によれば、第１動作ユニットには外部から電力供給されるため、第１動作ユニットは、その電力消費量の大小に関わらず所定の機能を実現するための動作を行うことができる。一方で、第２動作ユニットには内部電源から電力供給されるため、例えば外部からの電力供給が不安定な場合にも、比較的低消費電力である第２動作ユニットを短期あるいは長期にわたり動作させることができるため、所定の機能を実現している状態を維持することができる。
【００３０】
また、本発明に係る食品保存装置は、上記に記載の電力動作装置としての、食品を保存する食品保存装置であって、上記第１動作ユニットは、冷媒により食品を冷却する食品冷却装置であり、上記第２動作ユニットは、自装置内の気体を圧縮することにより自装置の内部を真空状態にして食品を保存する真空保存装置であり、上記第３動作ユニットは、上記冷媒及び上記気体を圧縮することが可能なコンプレッサであることが好ましい。
【００３１】
上記構成によれば、食品保存装置においても、上記の電力動作装置と同様、食品冷却装置への電力供給状態が長期的に停止あるいは不安定となったときでも本来得られるべき機能を実現している状態を維持することができる。また、第３動作ユニットとしてのコンプレッサを備えているので、食品冷却装置及び真空保存装置のそれぞれにコンプレッサを備える場合に比べ、食品保存装置を安価に製造できる。
【００３２】
また、本発明に係る屋内冷却装置は、上記に記載の電力動作装置としての、屋内を冷却する屋内冷却装置であって、上記第１動作ユニットは、冷媒により屋内を冷却する第１冷却装置であり、上記第２動作ユニットは、液体を循環かつ気化させることにより屋内を冷却する第２冷却装置であり、上記第３動作ユニットは、上記冷媒及び上記液体を圧縮することが可能なコンプレッサであることが好ましい。
【００３３】
上記構成によれば、屋内冷却装置においても、上記の電力動作装置と同様、第１冷却装置への電力供給状態が長期的に停止あるいは不安定となったときでも本来得られるべき機能を実現している状態を維持することができる。また、第３動作ユニットとしてのコンプレッサを備えているので、第１冷却装置及び第２冷却装置のそれぞれにコンプレッサを備える場合に比べ、屋内冷却装置を安価に製造できる。
【００３４】
また、本発明に係る情報再生装置は、上記に記載の電力動作装置としての、情報記録媒体に記録された情報を再生する情報再生装置であって、上記第１動作ユニットは、第１情報記録媒体に記録された情報を再生するために駆動する第１駆動装置であり、上記第２動作ユニットは、第２情報記録媒体に記録された情報を再生するために駆動する第２駆動装置であり、上記第３動作ユニットは、上記第１情報記録媒体及び上記第２情報記録媒体に記録された情報をデコードすることが可能なデコーダであることが好ましい。
【００３５】
上記構成によれば、情報再生装置においても、上記の電力動作装置と同様、第１駆動装置への電力供給状態が長期的に停止あるいは不安定となったときでも本来得られるべき機能を実現している状態を維持することができる。また、第３動作ユニットとしてのデコーダを備えているので、第１駆動装置及び第２駆動装置のそれぞれにデコーダを備える場合に比べ、情報再生装置を安価に製造できる。
【００３６】
また、本発明に係る情報記録装置は、上記に記載の電力動作装置としての、情報記録媒体に記録された情報を記録する情報記録装置であって、上記第１動作ユニットは、第１情報記録媒体に情報を記録するために駆動する第１駆動装置であり、上記第２動作ユニットは、第２情報記録媒体に情報を記録するために駆動する第２駆動装置であり、上記第３動作ユニットは、上記第１情報記録媒体及び上記第２情報記録媒体に記録される情報をエンコードすることが可能なエンコーダであることが好ましい。
【００３７】
上記構成によれば、情報記録装置においても、上記の電力動作装置と同様、第１駆動装置への電力供給状態が長期的に停止あるいは不安定となったときでも本来得られるべき機能を実現している状態を維持することができる。また、第３動作ユニットとしてのエンコーダを備えているので、第１駆動装置及び第２駆動装置のそれぞれにエンコーダを備える場合に比べ、情報記録装置を安価に製造できる。
【００３８】
また、本発明に係る電力動作装置は、所定の機能を実現するための動作を行う第１動作ユニットと、上記所定の機能を実現するために上記第１動作ユニットとは異なる動作を行い、かつ第１動作ユニットより電力消費が少ない第２動作ユニットと、を含み、さらに、上記第１動作ユニットへの電力供給状態を判別する電力供給状態判別手段と、上記電力供給状態判別手段の判別結果に基づき、上記第１動作ユニットまたは上記第２動作ユニットを動作させる動作ユニット制御手段と、を備える動作ユニット制御装置に接続されていることを特徴としている。
【００３９】
上記構成によれば、電力動作装置は、所定の機能を実現するための動作を行う第１動作ユニットと、当該所定の機能を実現するが第１動作ユニットの動作とは異なり、かつ、第１動作ユニットより電力消費が少ない第２動作ユニットとを備えている。
【００４０】
このため、これらの動作ユニットのいずれを動作させても所定の機能を実現することができる。
【００４１】
また、動作ユニット制御装置は、電力供給状態判別手段（電力供給状態判別ステップ）が第１動作ユニットへの電力供給状態を判別した判別結果に基づき、動作ユニット制御手段（動作ユニット制御ステップ）が第１動作ユニットまたは第２動作ユニットを動作させる。そして、この動作ユニット制御装置が電力動作装置に接続されている。
【００４２】
このため、電力動作装置は、接続された動作ユニット制御装置の制御により、第１動作ユニットへの電力供給状態に基づいて、第１動作ユニット及び第２動作ユニットのいずれかを動作させ、所定の機能を実現することができる。また、その制御により、例えば第１動作ユニットへの電力供給状態が良好でなくなった（電力供給が不安定となった）場合に電力消費が少ない第２動作ユニットを動作させ、再び良好となった（電力供給が安定した）場合には第１動作ユニットを動作させることにより、所定の機能を実現し、かつ、電力供給状態の変化に対応することができる。
【００４３】
それゆえ、電力動作装置およびその制御方法では、電力供給状態判別手段及び動作ユニット制御手段を備えていなくても、接続された動作ユニット制御装置の制御により、上記電力供給状態が長期的に停止あるいは不安定となっても所定の機能を省電力に実現することができる。このため、当該電力供給状態が再び安定するまでに電力動作装置が停止する可能性を低減させることができる。すなわち、上記電力供給状態が長期的に停止あるいは不安定となったときでも本来得られるべき機能を実現している状態を維持することができる。
【００４４】
また、電力動作装置と動作ユニット制御装置との製造工程を分離することが可能であるため、製造工程を分離しない場合と比べて、歩留まり悪化を防ぎ、製造コストを下げることができる。
【発明の効果】
【００４５】
本発明に係る電力動作装置は、以上のように、所定の機能を実現するための動作を行う第１動作ユニットと、上記所定の機能を実現するために上記第１動作ユニットとは異なる動作を行い、かつ第１動作ユニットより電力消費が少ない第２動作ユニットと、を含み、さらに、上記第１動作ユニットへの電力供給状態を判別する電力供給状態判別手段と、上記電力供給状態判別手段の判別結果に基づき、上記第１動作ユニットまたは上記第２動作ユニットを動作させる動作ユニット制御手段と、を備える構成である。
【００４６】
また、本発明に係る電力動作装置は、以上のように、所定の機能を実現するための動作を行う第１動作ユニットと、上記所定の機能を実現するために上記第１動作ユニットとは異なる動作を行い、かつ第１動作ユニットより電力消費が少ない第２動作ユニットと、を含み、さらに、上記第１動作ユニットへの電力供給状態を判別する電力供給状態判別手段と、上記電力供給状態判別手段の判別結果に基づき、上記第１動作ユニットまたは上記第２動作ユニットを動作させる動作ユニット制御手段と、を備える動作ユニット制御装置に接続されている構成である。
【００４７】
また、本発明に係る電力動作装置の制御方法は、以上のように、電力動作装置が、所定の機能を実現するための動作を行う第１動作ユニットと、上記所定の機能を実現するために上記第１動作ユニットとは異なる動作を行い、かつ第１動作ユニットより電力消費が少ない第２動作ユニットと、を含み、上記第１動作ユニットへの電力供給状態を判別する電力供給状態判別ステップと、上記電力供給状態判別ステップでの判別結果に基づき、上記第１動作ユニットまたは上記第２動作ユニットを動作させる動作ユニット制御ステップとを含む構成である。
【００４８】
それゆえ、本発明の電力動作装置及びその制御方法は、電力供給状態が長期的に停止あるいは不安定となったときでも本来得られるべき機能を実現している状態を維持することができるという効果を奏する。
【図面の簡単な説明】
【００４９】
【図１】本発明の一実施形態に係る電力動作装置の概略構成の一例を示すブロック図である。
【図２】上記電力動作装置における処理の流れの一例を示すフローチャートである。
【図３】上記電力動作装置の変形例を示すブロック図である。
【図４】上記電力動作装置の別の変形例を示すブロック図である。
【図５】上記電力動作装置の一実施例である記録再生装置の概略構成の一例を示すブロック図である。
【図６】上記記録再生装置が備える動作ユニット制御部の概略構成の一例を示すブロック図である。
【図７】上記記録再生装置における、光ディスク内のコンテンツをメモリカードに記録する際の処理の一例を示すフローチャートである。
【図８】上記記録再生装置における、光ディスクドライブへの電力供給状態が良好でなくなったときの再生制御の切り替え処理の一例を示すフローチャートである。
【図９】上記記録再生装置における、光ディスク内のコンテンツをメモリカードに記録する際の処理の別例を示すフローチャートである。
【図１０】上記記録再生装置における、光ディスクドライブへの電力供給状態が良好でなくなったときの再生制御切り替え処理の別例を示すフローチャートである。
【図１１】上記記録再生装置における、光ディスクへのコンテンツ記録中に光ディスクドライブへの電力供給状態が良好でなくなったときの切り替え処理の一例を示すフローチャートである。
【図１２】上記記録再生装置における、光ディスクドライブへの電力供給状態が回復したときの処理の一例を示す図である。
【図１３】上記記録再生装置における、光ディスクのコンテンツ再生中に光ディスクの取り出しを行う場合の処理の一例を示すフローチャートである。
【図１４】上記記録再生装置における、光ディスクへのコンテンツ記録中に光ディスクの取り出しを行う場合の処理の一例を示すフローチャートである。
【図１５】上記記録再生装置における、光ディスクのコンテンツ再生中に光ディスクの取り出しを行う場合の処理の別例を示すフローチャートである。
【発明を実施するための形態】
【００５０】
本発明の実施の一形態について図１〜図１５に基づいて説明すれば、以下のとおりである。説明の便宜上、図面に示した部材と同一の機能を有する部材については、同一の符号を付し、その説明を省略する。
【００５１】
〔電力動作装置１の構成〕
まず、図１を用いて本実施の形態に係る電力動作装置１について説明する。図１は、本実施の形態に係る電力動作装置１の概略構成の一例を示すブロック図である。
【００５２】
本実施の形態の電力動作装置１は、外部電源２あるいは内部電源１４から供給される電力により動作を行い、各種機能を実現する装置である。図１に示すように、電力動作装置１は、主として、第１動作ユニット１１、第２動作ユニット１２、第３動作ユニット１３、内部電源１４、制御部１５及び記憶部１６を備えている。
【００５３】
第１動作ユニット１１は、所定の機能を実現するための動作を行うユニットである。この所定の機能とは、例えば食品や屋内などの冷却機能（後述の実施例１及び２）や、情報記録媒体に記録された情報の記録あるいは再生機能（後述の実施例３）など、電力動作装置１がその装置の目的を達成するための各種の機能の少なくとも１つを指す。本実施の形態では、第１動作ユニット１１には外部電源２（電力動作装置１の外部）から電源供給される。
【００５４】
第２動作ユニット１２は、上記の所定の機能を実現するために第１動作ユニット１１とは異なる動作を行い、かつ第１動作ユニット１１より電力消費が少ないユニットである。すなわち、第２動作ユニット１２においても第１動作ユニット１１が実現すべき機能とほぼ同一の機能を実現する。第２動作ユニット１２は、第１動作ユニット１１への電力供給状態が良好でない（不安定である）場合に、第１動作ユニット１１が実現していた所定の機能を一時的に低電力で継続できる構成であればよい。
【００５５】
一般に、電力動作装置が内部電源を備える場合、内部電源が有する電力量には限度があるため、当該装置の各部へ供給できる電力量は外部電源が供給できる電力量よりも少ない。このため、外部電源（商用電源）から電力供給を受けることが可能な状況にあれば、可能な限り当該外部電源から電力供給を受けて電力動作装置が利用されることが好ましい。
【００５６】
本実施の形態においても、電力動作装置１は、外部電源２からの電力供給状態が良好である場合には外部電源２からの電力供給によって各部（第２動作ユニット１２以外）が動作するよう構成されている。一方、その電力供給状態が良好でなくなった場合に内部電源１４からの電力供給によって各部（第１動作ユニット１１以外）が動作するように構成されている。
【００５７】
特に、電力動作装置１は、ほぼ同一の機能を実現する第１動作ユニット１１及び第２動作ユニット１２については、第１動作ユニット１１への外部電源２からの電力供給状態が良好である場合には、第１動作ユニット１１を第２動作ユニット１２に優先して動作させ、良好ではない場合に第１動作ユニット１１の代わりに第２動作ユニット１２を動作させている。すなわち、本実施の形態では、第２動作ユニット１２に外部電源２から電力供給される必要がない。
【００５８】
ここで、「電力供給状態が良好」とは、電力動作装置１の各部（特に第１動作ユニット１１）が動作するために必要な電力を満たすだけの電力供給が各部に行われている状態、すなわち第１動作ユニット１１などの各部がそれぞれの機能を実現する動作を行うことが可能な状態を指す。
【００５９】
第３動作ユニット１３は、第１動作ユニット１１及び第２動作ユニット１２のそれぞれが上記の所定の機能を実現するための動作を行うときに必要となる所定の動作を行うユニットであり、第１動作ユニット１１及び第２動作ユニット１２の一部として共有されている。なお、図１では、その共有状態を点線の枠囲みで示している。
【００６０】
すなわち、第３動作ユニット１３は、ほぼ同一の機能を実現するために第１動作ユニット１１及び第２動作ユニット１２で行われる共通の動作を実現するユニットである。この構成によれば、所定の動作を行うための動作ユニットを第１動作ユニットおよび第２動作ユニットそれぞれに備えておく必要がないので、安価な電力動作装置を製造できる。
【００６１】
また、第３動作ユニット１３は、「通常モード」及び「省電力モード」という電力消費量の異なる２つの動作モード（電力消費動作モード）を有している。第１動作ユニット１１及び第２動作ユニット１２では、所定の機能を実現するために必要となる電力量が異なり、それぞれの電力量にあわせた動作が行われる。そのため、第３動作ユニット１３による所定の動作もそれぞれの動作ユニットの電力量にあわせて行われることとなる。
【００６２】
ここで、「通常モード」は、第１動作ユニット１１が動作しているときの動作モードである。このとき、第３動作ユニット１３は、第１動作ユニット１１が所定の機能を実現するための動作を行い、かつ当該ユニットにはその動作に必要な電力が外部電源２から供給される。一方、「省電力モード」は、第２動作ユニット１２が動作しているときの動作モードである。このとき、第３動作ユニット１３は、第２動作ユニット１２が所定の機能を実現するための動作を行い、かつ当該ユニットにはその動作に必要な電力が内部電源１４から供給される。
【００６３】
また、第１〜第３動作ユニット１１〜１３は、制御部１５の動作ユニット制御部１５３により、その動作状態（動作開始、動作停止、動作モードなど）が制御される。なお、第１〜第３動作ユニット１１〜１３の具体的な実施例については後述する。
【００６４】
内部電源１４は、特に第２動作ユニット１２、及び第２動作ユニット１２が動作するときの第３動作ユニット１３に電力供給を行うものである。内部電源１４は、第１動作ユニット１１への電力供給状態が良好でない場合に、第１動作ユニット１１が実現していた所定の機能を得るために、第２動作ユニット１２および第３動作ユニット１３を短期的にあるいは長期的に動作させることができるだけの電力供給ができればよい。
【００６５】
なお、上述のとおり、内部電源１４は、例えば外部電源２からの電力供給が良好でなくなったときに電力動作装置１の各部（第１動作ユニット１１以外の各部）に電力供給を行うことが可能な電源であってもよい。
【００６６】
制御部１５は、主として、電力供給状態判別部１５１（電力供給状態判別手段）、電力供給制御部１５２、動作ユニット制御部１５３（動作ユニット制御手段）及びモード決定部１５４（モード決定手段）を備えている。制御部１５は、例えば制御プログラムを実行することにより、電力動作装置１を構成する部材を制御するものである。制御部１５は、記憶部１６に格納されているプログラムを、例えばＲＡＭ（Random Access Memory）等で構成される一次記憶部（不図示）に読み出して実行することにより、第１動作ユニット１１への電力供給状態の確認、第１〜第３動作ユニット１１〜１３の動作制御またはモード制御等の各種処理を行う。
【００６７】
電力供給状態判別部１５１は、第１動作ユニット１１への電力供給状態が良好であるか否かを判別するものである。電力供給状態判別部１５１は、例えば外部電源２からの電力供給量が所定の閾値を満たしているか、あるいは電力供給が停止しているかなどを基準に、その良好（正常）／不良（異常）の判別を行う。その基準としては、第１動作ユニット１１への電力供給の有無または電力供給量に限らず、外部電源２あるいは第１動作ユニット１１にて測定される電圧値、電圧値の変動量など、第１動作ユニット１１への電力供給状態が判別可能な基準であればよい。電力供給状態判別部１５１は、その判別結果を電力供給制御部１５２に送信する。
【００６８】
電力供給制御部１５２は、第１〜第３動作ユニット１１〜１３への電力供給量を制御するものである。特に、電力供給制御部１５２は、電力供給状態判別部１５１の判別結果に基づいて、第２動作ユニット１２への電力供給を行うか否かを決定するものであり、その決定に従って、内部電源１４を制御する。
【００６９】
具体的には、電力供給制御部１５２は、電力供給状態判別部１５１により第１動作ユニット１１への電力供給状態が良好であると判別された場合には、第２動作ユニット１２への電力供給を停止（あるいは停止状態を維持）する。一方、良好でないと判別された場合には、第２動作ユニット１２への電力供給を開始する。電力供給制御部１５２は、その決定結果を動作ユニット制御部１５３に送信する。また、電力供給制御部１５２は、モード決定部１５４が決定する動作モードに従って、第３動作ユニット１３への電力供給についても制御する。これにより、第３動作ユニット１３に、第１動作ユニット１１または第２動作ユニット１２の一部として、所定の動作を行わせることができる。
【００７０】
動作ユニット制御部１５３は、電力供給制御部１５２の決定結果（すなわち電力供給状態判別部１５１の判別結果）に基づいて、第１〜第３動作ユニット１１〜１３のそれぞれの動作を制御するものである。
【００７１】
具体的には、動作ユニット制御部１５３は、電力供給制御部１５２により第２動作ユニット１２への電力供給を行わないと決定した場合には、第１動作ユニット１１の動作を開始（あるいは維持）する。一方、第２動作ユニット１２への電力供給を行うと決定した場合には、第１動作ユニット１１の動作を停止し、第２動作ユニット１２の動作を開始する。
【００７２】
換言すれば、動作ユニット制御部１５３は、電力供給状態判別部１５１により第１動作ユニット１１への電力供給状態が良好であると判別されたときには第１動作ユニット１１を動作させ、良好でないと判別されたときには第２動作ユニット１２を動作させる。これにより、上記電力供給状態が良好でない場合に消費電力の少ない第２動作ユニットを動作させ、電力動作装置１が停止する可能性を低減させることができる。
【００７３】
つまり、電力動作装置１は、第１動作ユニット１１への電力供給が良好でなく、第１動作ユニット１１が正常に動作しない場合であっても、第１動作ユニット１１よりも電力消費の少ない第２動作ユニット１２の動作に切り替えるにより、電力動作装置１として本来得られるべき機能を実現している状態を維持することができる。例えば、外部電源２からの電力供給が停止あるいは変動する環境下において、その電力供給状態が回復するまでの間の比較的長期にわたり、所定の機能を維持することができる。また、その電力供給状態の変化に対応することができる。
【００７４】
また、動作ユニット制御部１５３は、モード決定部１５４の制御により、第３動作ユニット１３の動作モードの切り替え処理を行う。このため、動作ユニット制御部１５３は、動作させている第１動作ユニット１１または第２動作ユニット１２をモード決定部１５４に通知する。
【００７５】
なお、図１では、動作ユニット制御部１５３は、電力供給制御部１５２の決定結果に基づいて上記の動作制御を行っているが、電力供給状態判別部１５１から判別結果を直接受信し、当該判別結果に基づいて、第１〜第３動作ユニット１１〜１３のそれぞれを制御してもよい。
【００７６】
モード決定部１５４は、動作ユニット制御部１５３が第１動作ユニット１１及び第２動作ユニット１２のいずれを動作させるかに従って第３動作ユニット１３の動作モードを決定するものである。これにより、電力動作装置１は、第３動作ユニット１３を、第１動作ユニット１１または第２動作ユニット１２に必要となる電力供給量にあわせて動作させることができる。
【００７７】
具体的には、モード決定部１５４は、動作状態にある動作ユニットの通知を受けると、その動作ユニットに対応した動作モードを決定し、当該動作モードを動作ユニット制御部１５３に通知する。第１動作ユニット１１が動作状態にある場合には「通常モード」を、第２動作ユニット１２が動作状態にある場合には「省電力モード」を動作モードとして決定する。この動作モードは、例えば動作ユニットに対応付けられて記憶部１６に格納されており、モード決定部１５４は記憶部１６を参照することにより、当該動作モードを決定する。また、第３動作ユニット１３への電力供給量を調整するために、モード決定部１５４は、決定した動作モードを電力供給制御部１５２にも通知する。
【００７８】
また、記憶部１６は、制御部１５が実行する（１）各部の制御プログラム、（２）ＯＳプログラム、（３）アプリケーションプログラム、および、（４）これらプログラムを実行するときに読み出す各種データを記録するものである。制御部１５は、例えばＲＯＭ（Read Only Memory）フラッシュメモリなどの不揮発性の記憶装置によって構成されるものである。なお、上述した一次記憶部は、ＲＡＭなどの揮発性の記憶装置によって構成されているが、本実施の形態では、記憶部１６が一次記憶部の機能も備えているものとして説明する場合もある。記憶部１６は、例えば動作ユニットと、第３動作ユニットの動作モードと、各動作ユニットへの電力供給量とを対応付けたテーブル等を格納している。
【００７９】
また、本実施の形態では、図１に示すように、第１動作ユニット１１には外部電源２（電力動作装置１の外部）から電源供給され、第２動作ユニット１２には内部電源１４がそれぞれ電力供給される構成となっている。
【００８０】
一般に、内部電源が有する電力量には限りがあるため、ある程度省電力化を図って利用された場合であっても、内部電源からの電力供給を長時間にわたり行うことは困難である。一方、外部からの電力供給については、その供給状態が不安定とならない限り、長時間にわたり行うことが可能である。
【００８１】
このため、第１動作ユニット１１は、その電力消費量の大小に関わらず所定の機能を実現するための動作を行うことができる。つまり、外部電源２からの電力供給により、第１動作ユニット１１に、例えば所定の機能を実現するために複雑な処理を行わせることができる。一方、例えば外部電源２から第１動作ユニット１１への電力供給が不安定な場合にも、比較的低消費電力である第２動作ユニット１２を短期あるいは長期にわたり動作させることができるため、所定の機能を実現している状態を維持することができる。この点を考慮しなければ、第１動作ユニット１１に対しても例えば専用の内部電源から電力供給が行われてもよい。
【００８２】
なお、安価な電力動作装置の製造について考慮しなければ、第１動作ユニット１１及び第２動作ユニット１２が必ずしも第３動作ユニット１３を備えている必要はない。この場合、第３動作ユニット１３の動作モードを決定するモード決定部１５４を備えている必要や、動作ユニットと動作モードとを対応付けたテーブル等を格納している必要もない。また、動作ユニット制御部１５３は、少なくとも、電力供給状態判別部１５１の判別結果に基づき、第１動作ユニット１１または第２動作ユニット１２を動作させるものとして機能すればよい。
【００８３】
〔電力動作装置１における処理の流れ〕
次に、図２に基づいて、電力動作装置１における第１動作ユニット１１及び第２動作ユニット１２の切り替え処理の流れについて説明する。図２は、電力動作装置１における処理の流れの一例を示すフローチャートである。
【００８４】
まず、第１動作ユニット１１に外部電源２から電力供給されており、第１動作ユニット１１が動作状態であることを前提として図２の処理を説明する。この場合において、電力供給制御部１５２は、第１動作ユニット１１への電力供給状態を確認し（Ｓ１）、当該状態が良好であるか否かを判別する（Ｓ２）。
【００８５】
良好でないと判別された場合（Ｓ２でＮＯ）、電力供給制御部１５２は、内部電源１４から第２動作ユニット１２への電力供給を行うことを決定し、その電力供給を開始する（Ｓ３）。また、動作ユニット制御部１５３は、第２動作ユニット１２を動作させ（Ｓ４）、モード決定部１５４による動作モードの決定に従い、第３動作ユニット１３の動作モードを省電力モードに設定する（Ｓ５）。すなわち、第１動作ユニット１１への電力供給状態が良好でないと判別された場合には、第２動作ユニット１２への電力供給を開始し、第２動作ユニット１２の動作に切り替えるとともに、第３動作ユニット１３の動作モードを省電力モードに切り替える。
【００８６】
一方、良好であると判別された場合（Ｓ２でＹＥＳ）、既に第１動作ユニット１１が動作状態であるため、後述のＳ６〜Ｓ８の処理を行わず、Ｓ１の処理に戻る。Ｓ２でＹＥＳの場合には、所定時間ごとに第１動作ユニット１１への電力供給状態を監視するために、当該時間ごとにＳ１及びＳ２の処理が繰り返される。
【００８７】
次に、Ｓ５の処理が行われ、第２動作ユニット１２が動作状態であることを前提として図２の処理を説明する。上記と同様、電力供給状態判別部１５１が第１動作ユニット１１への電力供給状態が良好であるかを判別する（Ｓ２）。良好でない場合（Ｓ２でＮＯ）には、既に第２動作ユニット１２が動作状態であるため、上述のＳ３〜Ｓ５の処理を行わない。図示しないが、この場合にも、Ｓ５の処理後にＳ１の処理に戻り、所定時間ごとに第１動作ユニット１１への電力供給状態の監視が行われる。
【００８８】
一方、良好である場合（Ｓ２でＹＥＳ）、第１動作ユニット１１への電力供給状態が回復したと判別され、電力供給制御部１５２は、第２動作ユニット１２への電力供給を停止する（Ｓ６）。また、動作ユニット制御部１５３は、第２動作ユニット１２への電力供給停止の決定に従って第１動作ユニット１１を動作させ（Ｓ７）、モード決定部１５４による動作モードの決定に従って第３動作ユニット１３の動作モードを通常モードに設定する（Ｓ８）。すなわち、第１動作ユニット１１への電力供給状態が回復した場合には、第２動作ユニット１２への電力供給を停止し、第１動作ユニット１１の動作に切り替えるとともに、第３動作ユニット１３の動作モードを通常モードに切り替える。
【００８９】
これにより、電力供給状態が良好でなくなった場合にも、第２動作ユニット１２により所定の機能を実現し、かつ、電力供給状態の変化に対応することができる。また、第２動作ユニット１２は第１動作ユニット１１よりも消費電力が少ないゆえ、電力供給状態が良好でない期間が長期にわたっても、その期間、第２動作ユニット１２により所定の機能を実現させることができる。すなわち、電力動作装置１として本来得られるべき機能を実現している状態を長期間にわたり維持することができる。
【００９０】
〔電力動作装置１の効果〕
以上のように、電力動作装置１は、少なくとも、第１動作ユニット１１と、第１動作ユニット１１とほぼ同一の機能を実現し、第１動作ユニット１１とは異なる動作を行い、かつ第１動作ユニット１１より電力消費が少ない第２動作ユニット１２とを含む。また、第１動作ユニット１１への電力供給状態を判別する電力供給状態判別部１５１と、当該判別の結果に基づき、第１動作ユニット１１または第２動作ユニット１２を動作させる動作ユニット制御部１５３を備える。
【００９１】
この構成により、所定の機能を実現するために利用される第１動作ユニット１１への電力供給状態が長期的に停止あるいは不安定となったときでも、当該機能を省電力の第２動作ユニット１２にて実現することができる。その結果、その停止期間あるいは不安定な期間において、電力動作装置１として本来得られるべき機能を実現している状態を維持することができる。
【００９２】
また、電力動作装置１は、電力供給状態判別部１５１及び動作ユニット制御部１５３を内蔵している。この構成によれば、例えばこれらの部材が外部接続、あるいは電力動作装置１の制御部とは異なる制御回路として設けられた場合に比べ、装置の小型化を図ることができる。
【００９３】
〔変形例（その１）〕
なお、上述のように、電力動作装置１は、第１動作ユニット１１が外部電源２から電力供給を受ける代わりに、専用の内部電源から電力供給を受けてもよい。図３は、電力動作装置１の変形例である電力動作装置１ａを示すブロック図である。
【００９４】
図３に示すように、電力動作装置１ａは内部電源１４ａを備えている。内部電源１４ａは、外部電源２の代わりに、第１動作ユニット１１に電力供給を行うものである。電力動作装置１ａでは、通常、第１動作ユニット１１が所定の機能を実現しており、第１動作ユニット１１への電力供給状態が良好でない間（例えば、内部電源１４ａを充電している間）、その所定の機能を第２動作ユニット１２によって実現させる。このため、内部電源１４ａの電力量は、内部電源１４の電力量よりも多いことが好ましい。
【００９５】
例えば、電力供給状態判別部１５１が、内部電源１４ａからの電力供給が良好でなくなったと判別した場合（例えば内部電源１４ａが所定の電圧値よりも低下したことを認識した場合）、電力供給制御部１５２は、内部電源１４ａからの第１動作ユニット１１への電力供給を停止し、内部電源１４からの第２動作ユニット１２への電力供給を開始する。また、動作ユニット制御部１５３は、第１動作ユニット１１を停止し、第２動作ユニット１２を起動する。すなわち、第１動作ユニット１１の動作から第２動作ユニット１２の動作へと切り替える。
【００９６】
これにより、電力動作装置１ａにおいても、第１動作ユニット１１を駆動し続けることができない状況が比較的長期間にわたる場合であっても、その期間において第２動作ユニット１２により所定の機能を維持することができる。
【００９７】
〔変形例（その２）〕
また、上記では、制御部１５及び記憶部１６が電力動作装置１内に備えられている構成について説明したが、これらが電力動作装置１とは異なる装置において実現されていてもよい。図４は、電力動作装置１の変形例である電力動作装置１ｂを示すブロック図であり、電力動作装置１ｂが動作ユニット制御装置３からの制御を受ける構成を示している。
【００９８】
図４に示すように、電力動作装置１ｂは、第１〜第３動作ユニット１１〜１３及び内部電源１４を備えており、第１動作ユニット１１の電力供給状態に応じて第１動作ユニット１１及び第２動作ユニット１２の切り替え処理を行う制御部１５及び記憶部１６を備えていない構成である。なお、電力動作装置１ｂは、図示しないが、上記切り替え処理以外の処理を行うための制御部及び記憶部を備えている。
【００９９】
代わりに、動作ユニット制御装置３は、上記切り替え処理を実現するための制御部１５及び記憶部１６を備え、電力動作装置１ｂの外部から上記切り替え処理を行う。
【０１００】
換言すれば、電力動作装置１ｂは、第１動作ユニット１１と第２動作ユニット１２とを含み、電力供給状態判別部１５１と動作ユニット制御部１５３とを備える動作ユニット制御装置３に接続されている。この構成であっても、電力動作装置１ｂの外部装置である動作ユニット制御装置３からの制御を受けることにより、上記の電力動作装置１と同様の効果を奏する。また、電力動作装置１ｂと、上記切り替え処理を行う動作ユニット制御装置３との製造工程を分離することが可能であるため、製造工程を分離しない場合と比べて、歩留まり悪化を防ぎ、製造コストを下げることができる。
【０１０１】
以下に、電力動作装置１が実現される装置の具体例を実施例１〜３において説明する。なお、実施例１〜３では、電力動作装置１が第３動作ユニット１３を備えるものとして説明するが、上述したように、第３動作ユニット１３を必ずしも備えている必要はない。
【０１０２】
〔実施例１〕
まず、電力動作装置１は、食品を保存する食品保存装置として実現可能である。この場合、図１に示す第１動作ユニット１１、第２動作ユニット１２及び第３動作ユニット１３のそれぞれは、冷媒により食品を冷却する食品冷却装置、自装置内の気体を圧縮することにより自装置の内部を真空状態にして食品を保存する真空保存装置、食品冷却装置にて用いられる冷媒と、真空保存装置にて用いられる気体とを圧縮することが可能なコンプレッサとして機能する。
【０１０３】
第１動作ユニット１１として機能する食品冷却装置は、例えば冷蔵庫、冷凍庫などで実現され、第２動作ユニット１２として機能する真空保存装置は、例えば真空ポンプが接続された保存容器などで実現される。また、第３動作ユニット１３として機能するコンプレッサは、第１動作ユニット１１及び第２動作ユニット１２に共通の機能、すなわち圧縮機能を有する装置である。
【０１０４】
これらの装置の基本的な構造については、周知の構成を採用することができる。なお、コンプレッサについては、「通常モード」時に所定の電力供給を受けて冷蔵庫（冷凍庫）の冷媒を圧縮し、「省電力モード」時に「通常モード」時よりも少ない電力供給を受けて上記保存容器内の気体を圧縮するように構成されている。
【０１０５】
本実施例の食品保存装置は、冷蔵庫への電力供給状態が良好でなくなった場合に、冷媒を圧縮する代わりに上記保存容器内の気体を圧縮することで食品保存装置の内部を真空状態とする。これにより、冷蔵庫が機能しない場合であっても、比較的長時間、食品を腐らせることなく保存することができる。また、冷蔵庫及び上記保存容器が所定の機能（食品の保存機能）を実現するために必要な動作（すなわち冷媒または気体の圧縮）を行うコンプレッサを共有しているので、冷蔵庫及び上記保存容器のそれぞれが別個のコンプレッサを有している場合に比べ、安価な食品保存装置を提供できる。
【０１０６】
〔実施例２〕
次に、電力動作装置１は、屋内を冷却する屋内冷却装置としても実現可能である。この場合、図１に示す第１動作ユニット１１、第２動作ユニット１２及び第３動作ユニット１３のそれぞれは、冷媒により屋内を冷却する第１冷却装置、液体を循環かつ気化させることにより屋内を冷却する第２冷却装置、第１冷却装置にて用いられる冷媒と、第２冷却装置にて用いられる液体を圧縮することが可能なコンプレッサとして機能する。
【０１０７】
第１動作ユニット１１として機能する第１冷却装置は、例えばエアコンディショナーなどで実現され、少なくとも冷却機能を有していればよい。第２動作ユニット１２として機能する第２冷却装置は、例えば冷風扇などで実現される。また、第３動作ユニット１３として機能するコンプレッサは、第１冷却装置及び第２冷却装置が共有する装置である。
【０１０８】
これらの装置の基本的な構造については、周知の構成を採用することができる。なお、コンプレッサについては、「通常モード」時に所定の電力供給を受けてエアコンディショナーの冷媒を圧縮し、「省電力モード」時に「通常モード」時よりも少ない電力供給を受けて冷風扇の液体を圧縮するように構成されている。
【０１０９】
本実施例の屋内冷却装置は、エアコンディショナーへの電力供給状態が良好でなくなった場合に、エアコンディショナーの代わりに冷風扇が屋内の冷却を行う。これにより、エアコンディショナーが機能しない場合であっても、比較的長時間、屋内を冷却、あるいは一定の低温度に維持することができる。また、エアコンディショナー及び冷風扇が所定の機能（屋内の冷却機能）を実現するために必要な動作（すなわち冷媒または液体の圧縮）を行うコンプレッサを共有しているので、エアコンディショナー及び冷風扇のそれぞれがコンプレッサを有している場合に比べ、安価な屋内冷却装置を提供できる。
【０１１０】
〔実施例３〕
次に、電力動作装置１は、情報記録媒体に記録された情報を再生する情報再生装置、及び／または、情報記録媒体に情報を記録する情報記録装置としても実現可能である。
【０１１１】
この場合、図１に示す第１動作ユニット１１は、第１情報記録媒体に記録された情報を再生するため、あるいは第１情報記録媒体に情報を記録するために駆動する第１駆動装置として機能する。第２動作ユニット１２は、第２情報記録媒体に記録された情報を再生するため、あるいは第２情報記録媒体に情報を記録するために駆動する第２駆動装置として機能する。また、第３動作ユニット１３は、第１情報記録媒体及び第２情報記録媒体に記録された情報をデコードすることが可能なデコーダ、あるいは第１情報記録媒体及び第２情報記録媒体に記録される情報をエンコードすることが可能なエンコーダとして機能する。
【０１１２】
ここで、第１情報記録媒体とは、第１駆動装置が記録／再生を行う対象とする媒体であり、例えばブルーレイディスク（登録商標）、ＤＶＤなどの光ディスクが挙げられる。一方、第２情報記録媒体とは、第１情報記録媒体の駆動よりも電力消費が少ない第２駆動装置が記録／再生を行う対象とする媒体であり、例えばメモリカードが挙げられる。
【０１１３】
この場合、第１動作ユニット１１として機能する第１駆動装置は、例えば光ディスクドライブで実現され、第２動作ユニット１２として機能する第２駆動装置は、例えばメモリカードドライブで実現される。また、第３動作ユニット１３として機能するデコーダあるいはエンコーダは、第１駆動装置及び第２駆動装置が共有する装置である。
【０１１４】
これらの装置の基本的な構造については、周知の構成を採用することができる。なお、デコーダ／エンコーダについては、「通常モード」時に所定の電力供給を受けて光ディスクの情報をデコード、あるいは光ディスクに記録する情報をエンコードし、「省電力モード」時に「通常モード」時よりも少ない電力供給を受けてメモリカードの情報をデコード、あるいはメモリカードに記録する情報をエンコードする。
【０１１５】
本実施例の情報再生装置または情報記録装置は、光ディスクドライブへの電力供給状態が良好でなくなった場合に、光ディスクドライブの代わりにメモリカードドライブが動作し、メモリカードに対する情報の記録あるいは再生を行う。
【０１１６】
また、デコーダは、例えば、光ディスクおよびメモリカードにそれぞれ異なる圧縮率でコンテンツが記録されている場合には、それに応じて、光ディスクから読み出した情報に対するデコード処理（高解像度用の処理）、メモリカードの情報再生の場合、メモリカードから読み出した情報に対するデコード処理（低解像度用の処理）を行う。
【０１１７】
一方、エンコーダは、例えば、光ディスクへの情報記録の場合、ハイビジョン等の高解像度に対する（高解像度を維持した）エンコード処理を行い、メモリカードへの情報記録の場合、ワンセグ等の低解像度に対するエンコード処理（あるいは、低圧縮で行われるエンコード処理）を行う。
【０１１８】
一般に、光ディスクの容量はメモリカードの容量に比べて大きい。このため、第３動作ユニット１３として機能するデコーダあるいはエンコーダは、その容量の違いに応じて情報の形式（すなわち解像度や転送レートなど）を変更して、これらの媒体から読み出される、あるいは当該媒体に記録される情報に対してデコードあるいはエンコード処理することができ、そのときの電力消費量にも違いが生じる。すなわち、デコーダあるいはエンコーダの処理（上記形式の変更）を、異なる媒体に応じたエンコード時の動作モード、あるいはデコード時の動作モードに対応させることにより、電力消費量の違いが生じ、メモリカードへの情報記録あるいは再生時には省電力化を図ることができる。なお、この情報とは、例えばコンテンツに含まれる画像あるいは動画を指す。
【０１１９】
以上の構成により、光ディスクドライブが機能しない場合であっても、比較的長時間（例えば、従来のＤＶＤドライブで実現されていた６時間よりも長時間）、メモリカードに対する情報再生あるいは情報記録を行うことができる。なぜなら、電力消費量の多い光ディスクドライブの光ディスク回転機構が動作しない状態での上記情報再生あるいは情報記録を実現することができるからである。また、光ディスクドライブ及びメモリカードドライブが所定の機能（情報記録媒体に対する情報再生あるいは情報記録機能）を実現するために必要な動作（デコードあるいはエンコード処理）を行うデコーダあるいはエンコーダを共有しているので、光ディスクドライブ及びメモリカードドライブのそれぞれがデコーダあるいはエンコーダを有している場合に比べ、安価な情報再生装置あるいは情報記録装置を提供できる。
【０１２０】
以下に、電力動作装置１が情報再生装置及び／または情報記録装置として機能する場合のより詳細な構成及び処理について、図５〜図１５を用いて説明する。以下では、情報再生装置及び／または情報記録装置として機能する電力動作装置１を記録再生装置１０として説明する。
【０１２１】
＜記録再生装置１０の構成＞
本実施例の記録再生装置１０は、後述の図７〜図１５の処理を行うことが可能な構成となっている。図７〜図１５の処理は、図２に示す電力動作装置１の処理を、記録再生装置１０がコンテンツ等の情報を再生あるいは記録するときに即した具体的な処理として示したものである。
【０１２２】
まず、図５を用いて、記録再生装置１０の概略構成について説明する。図５は、記録再生装置１０の概略構成の一例を示すブロック図である。記録再生装置１０は、光ディスクあるいはメモリカードに対する情報再生あるいは情報記録を行うものであり、主として、光ディスクドライブ２１（図１に示す第１動作ユニット１１）、メモリカードドライブ２２（図１に示す第２動作ユニット１２）、デコーダ２３１（図１に示す第３動作ユニット１３）、エンコーダ２３２（図１に示す第３動作ユニット１３）、内部電源２４、制御部２５、記憶部２６、操作部２７、表示部２８及びスピーカ２９を備えている。また、図５では、光ディスク挿入スロット（不図示）に光ディスク３０（情報記録媒体、第１情報記録媒体）が、メモリカード挿入スロット（不図示）にメモリカード３１（情報記録媒体、第２情報記録媒体）がそれぞれ挿入されている。
【０１２３】
本実施例の記録再生装置１０では、光ディスク３０に代わる記録媒体としてメモリカード３１を利用しているが、これに限らず、各種のＲＯＭ（フラッシュメモリ）やＲＡＭなどの半導体メモリを利用してもよい。
【０１２４】
なお、内部電源２４は、内部電源１４と同様の機能を実現するので、その説明を省略する。また、光ディスクドライブ２１、メモリカードドライブ２２、デコーダ２３１、エンコーダ２３２、光ディスク３０及びメモリカード３１については上述したので、その説明を省略する。また、記憶部２６は、記憶部１６と同様の機能を実現しているとともに、記録再生装置１０が記録装置として機能する場合には、放送コンテンツを一時的に記憶するバッファとしての機能（バッファリング機能）も有していることが好ましい。
【０１２５】
また、記録再生装置１０が情報再生装置としてのみ機能する場合には、第３動作ユニット１３としてデコーダ２３１のみを備えていればよく、情報記録装置としてのみ機能する場合には、第３動作ユニット１３としてエンコーダ２３２のみを備えていればよい。
【０１２６】
操作部２７は、ユーザ操作を取得するものであり、例えばタッチパネルなどで構成される。表示部２８は、例えば光ディスク３０あるいはメモリカード３１に記録されているコンテンツを表示し、スピーカ２９は、当該コンテンツを表示するときの音声を出力するものである。操作部２７、表示部２８及びスピーカ２９はそれぞれ、制御部２５によって制御されており、記録再生装置１０の外部装置として接続されていてもよい。
【０１２７】
制御部２５は、例えば制御プログラムを実行することにより、電力動作装置１を構成する部材を制御するものであり、主として、電力供給状態判別部２５１（電力供給状態判別手段）、電力供給制御部２５２、動作ユニット制御部２５３（動作ユニット制御手段）及びモード決定部２５４（モード決定手段）を備えている。電力供給状態判別部２５１、電力供給制御部２５２及びモード決定部２５４の主な機能は、上述した電力供給状態判別部１５１、電力供給制御部１５２及びモード決定部１５４と同様であるため、具体的な説明については省略する。以下、動作ユニット制御部２５３の詳細について説明する。
【０１２８】
＜動作ユニット制御部２５３の詳細＞
次に、図６を用いて、動作ユニット制御部２５３の構成について説明する。図６は、動作ユニット制御部２５３の概略構成の一例を示すブロック図である。なお、動作ユニット制御部２５３の機能のうち、動作ユニット制御部１５３と同様の機能については上述したので、その説明を省略する。
【０１２９】
図６に示すように、動作ユニット制御部２５３は、主として、光ディスクドライブ２１を制御する光ディスクドライブ制御部４と、メモリカードドライブ２２を制御するメモリカードドライブ制御部５と、デコーダ２３１またはエンコーダ２３２を制御するデコーダ／エンコーダ制御部６とを備えている。
【０１３０】
光ディスクドライブ制御部４は、主として、装填確認部４１、再生制御部４２、記録制御部４３、容量確認部４４、再生状態確認部４５及び記録状態確認部４６を備えている。
【０１３１】
装填確認部４１は、光ディスク３０が光ディスク挿入スロットに挿入されたか否かを確認するものである。例えば、光ディスク挿入スロットには光ディスク３０の有無を判別するセンサが取り付けられており、そのセンサから受信する信号によって光ディスク３０の装填確認を行う。
【０１３２】
再生制御部４２は、光ディスク３０に記録されている情報（コンテンツや属性管理情報など）を再生するために、光ディスクドライブ制御部４を制御するものである。
【０１３３】
記録制御部４３は、記憶部２６あるいはメモリカード３１に記録されている情報（コンテンツなど）を光ディスク３０に記録するために、光ディスクドライブ制御部４を制御するものである。
【０１３４】
容量確認部４４は、光ディスク３０の残容量（空き容量）を確認するものである。例えば、光ディスク３０の所定の領域には、自身に記録されている情報（ファイル）毎に付記された名前や容量（サイズ）、作成日時、更新日時などの属性を一括して管理している属性管理情報が記録されている。容量確認部４４は、再生制御部４２に属性管理情報の読み出し指示を行うことにより、再生制御部４２が読み出した属性管理情報に示された使用容量から、その光ディスク３０の残容量を算出する。
【０１３５】
再生状態確認部４５は、再生制御部４２が光ディスク３０の情報を再生しているか（すなわち再生中であるか）否かを確認するものである。
【０１３６】
記録状態確認部４６は、記録制御部４３が光ディスク３０へ情報を記録しているか（すなわち記録中であるか）否かを確認するものである。また、記録状態確認部４６は、記録制御部４３による光ディスク３０へのコンテンツ記録が完了しているかを確認するものである。
【０１３７】
メモリカードドライブ制御部５は、主として、第２再生制御部５１、第２記録制御部５２、第２容量確認部５３及びコンテンツ有無確認部５４を備えている。
【０１３８】
第２再生制御部５１は、メモリカード３１に記録されている情報（コンテンツや属性管理情報など）を再生するために、メモリカードドライブ制御部５を制御するものである。本実施の形態では、特に、第２容量確認部５３がメモリカード３１の残容量を確認する際に、あるいはコンテンツ有無確認部５４がメモリカード３１に記録されている情報（コンテンツ）の有無を確認する際に使用される。
【０１３９】
第２記録制御部５２は、記憶部２６あるいは光ディスク３０に記録されている情報（コンテンツなど）をメモリカード３１に記録するために、メモリカードドライブ制御部５を制御するものである。
【０１４０】
第２容量確認部５３は、メモリカード３１の残容量を確認するものである。例えば、メモリカード３１の所定の領域には、光ディスク３０と同様、自身に記録されている情報の属性を一括して管理している属性管理情報が記録されている。第２容量確認部５３は、第２再生制御部５１に属性管理情報の読み出し指示を行うことにより、残容量を算出する。
【０１４１】
コンテンツ有無確認部５４は、メモリカード３１に記録されている情報（コンテンツ）の有無を確認するものである。例えば、メモリカード３１の属性管理情報が記録されている所定の領域とは異なるコンテンツ記録領域にコンテンツが記録されている。コンテンツ有無確認部５４は、第２再生制御部５１にコンテンツ読み出し指示を行うことにより、第２再生制御部５１が読み出したコンテンツを読み出した場合には「コンテンツ有り」、読み出せなかった場合には「コンテンツ無し」と判別する。
【０１４２】
なお、本実施例においては特に説明しないが、メモリカードドライブ制御部５が、再生状態確認部４５および記録状態確認部４６と同様の機能、すなわちメモリカード３１の情報を再生中であるかを確認する再生状態確認部、およびメモリカード３１へ情報を記録中であるかを確認する記録状態確認部を備えていることが好ましい。
【０１４３】
なお、記録再生装置１０が再生装置として機能する場合には、少なくとも記録制御部４３、記録状態確認部４６及び容量確認部４４を備えている必要はない。また、記録再生装置１０が記録装置として機能する場合には、少なくとも再生状態確認部４５を備えている必要はない。
【０１４４】
また、動作ユニット制御部２５３は、外部電源２からの電力供給状態が良好でなくなった場合に、表示部２８が表示する画像の輝度を落とす、デコード時の画像の解像度を落とす、スピーカ２９から音声だけを出力するなどの処理を行う機能を有していてもよい。
【０１４５】
＜記録再生装置１０における処理の流れ＞
次に、図７〜図１２を用いて、記録再生装置１０における処理の流れについて説明する。特に、コンテンツ再生時あるいは記録時における、光ディスクドライブ２１（第１動作ユニット１１）とメモリカードドライブ２２（第２動作ユニット１２）との切り替え処理について説明する。また、図１３〜図１５を用いて、光ディスク３０の取り出し時における処理についても説明する。
【０１４６】
（再生時における切替処理（その１））
まず、図７及び図８を用いて、光ディスクドライブ２１への電力供給状態が良好でなくなった（悪化した）ときに、光ディスク３０からメモリカード３１に対する記録及び／または再生制御に切り替えるときの記録再生装置１０の処理について説明する。図７は、光ディスク３０内のコンテンツをメモリカード３１に記録する際の処理の一例を示すフローチャートである。図８は、光ディスクドライブ２１への電力供給状態が良好でなくなったときの再生制御の切り替え処理の一例を示すフローチャートである。
【０１４７】
まず、図７を用いて、光ディスク３０が挿入されてから、光ディスク３０内のコンテンツがメモリカード３１に記録されるまでの処理について説明する。
【０１４８】
光ディスク３０が光ディスク挿入スロット（不図示）に挿入されると、装填確認部４１は、当該挿入スロットのセンサから検知信号を受信することにより、光ディスク３０が挿入されたことを確認し（Ｓ２１）、その旨を再生制御部４２に通知する。再生制御部４２は、この通知あるいは操作部２７を介したユーザ操作を受けると、光ディスク３０内のコンテンツ再生を開始することを示すディスク再生開始信号を、電力供給状態判別部２５１に送信する。
【０１４９】
電力供給状態判別部２５１は、ディスク再生開始信号を受けると（Ｓ２２）、外部電源２から光ディスクドライブ２１への電力供給状態（給電状態）の確認を行う（Ｓ２３）。その結果、電力供給状態が良好であると判別された場合（Ｓ２４でＹＥＳ）、第２容量確認部５３は、その通知を受けてメモリカード３１内の容量確認を行い（Ｓ２５）、残容量有りと判別した場合（Ｓ２６でＹＥＳ）、再生制御部４２にその旨を通知する。
【０１５０】
再生制御部４２は、その通知を受けて、光ディスク３０内のコンテンツを読み出し、記憶部２６に一時的に格納する。その読み出しが終了すると、その終了通知を第２記録制御部５２に送信する。第２記録制御部５２は、記憶部２６に格納されたコンテンツを読み出し、メモリカード３１に記録する（Ｓ２７）。
【０１５１】
第２記録制御部５２は、メモリカード３１へのコンテンツ記録が終了すると（Ｓ２８）、その終了通知を再生制御部４２に送信する。再生制御部４２は、その終了通知を受けて、光ディスク３０に記録されているコンテンツの再生を開始する（Ｓ２９）。
【０１５２】
これにより、再生制御部４２が光ディスク３０内のコンテンツ再生前にメモリカード３１内にコンテンツを記録しておくことができるので、後述の図８に示すように、光ディスクドライブ２１が利用できない状態であっても、メモリカードドライブ２２を利用して「コンテンツ再生機能」を維持することができる。
【０１５３】
一方、Ｓ２４において、電力供給状態が良好でないと判別された場合（Ｓ２４でＮＯ）、図７に示す処理は終了する。この場合、光ディスクドライブ２１が正常に作動しない可能性があるためである。また、Ｓ２６において、メモリカード３１内の残容量が無いと判別した場合（Ｓ２６でＮＯ）も、当該処理は終了する。この場合には、メモリカード３１内にコンテンツを記録できないためである。なお、Ｓ２６でＮＯの場合には、Ｓ２９の処理に移行し、再生制御部４２が光ディスク３０内のコンテンツを再生してもよい。
【０１５４】
なお、Ｓ２２及びＳ２９の処理は必ずしも行われる必要はない。この場合、Ｓ２１において、装填確認部４１が光ディスク３０の挿入を確認すると、その旨を電力供給状態判別部２５１に送信する。また、Ｓ２８において、第２記録制御部５２がメモリカード３１へのコンテンツ記録を終了すると、図７に示す処理は終了する。この場合、光ディスク３０内のコンテンツ再生が行われなくても、光ディスク３０が挿入された時点でメモリカード３１に当該コンテンツを記録しておくことができる。
【０１５５】
次に、図８を用いて、光ディスク３０が挿入された状態で、光ディスクドライブ２１への電力供給状態が良好でなくなった場合の処理について説明する。
【０１５６】
まず、電力供給状態判別部２５１は、光ディスクドライブ２１への電力供給状態が良好でなくなったと判別した場合に、給電状態悪化信号を再生状態確認部４５に送信する。再生状態確認部４５は、給電状態悪化信号を受けると（Ｓ３１）、再生制御部４２が光ディスク３０内のコンテンツを再生しているか否かを確認する（Ｓ３２）。その結果、再生状態確認部４５は、再生中であると判別した場合（Ｓ３３でＹＥＳ）には、再生制御部４２に、光ディスク３０内のコンテンツ再生を停止するよう指示する。再生制御部４２は、この指示を受けて、コンテンツ再生を停止する（Ｓ３４）。
【０１５７】
再生制御部４２は、コンテンツ再生を停止すると、電力供給制御部２５２に再生停止通知を送信する。電力供給制御部２５２は、この再生停止通知を受けると、光ディスクドライブ２１への外部電源２からの電力供給を停止させる（Ｓ３５）。この停止は、例えば、外部電源２が装置等で構成されている場合には、外部電源２に電力供給停止指示を送信して行われてもよいし、光ディスクドライブ２１が電力供給を受け付けないように光ディスクドライブ２１を制御してもよい。また、このとき、電力供給制御部２５２は、内部電源２４からメモリカードドライブ２２への電力供給を開始する（Ｓ３６）。
【０１５８】
次に、電力供給制御部２５２が光ディスクドライブ２１への電力供給停止を確認すると、停止終了通知をコンテンツ有無確認部５４に送信する。コンテンツ有無確認部５４は、この停止終了通知を受けると、メモリカード３１内のコンテンツを確認し（Ｓ３７）、コンテンツが存在する場合（Ｓ３８でＹＥＳ）には、表示制御部（不図示）に、メモリカード３１内のコンテンツを再生するか否かをユーザに確認させるためのユーザ確認表示を行わせる（Ｓ３９）。ここで、メモリカード３１内にコンテンツが存在するのは、図７に示す処理が行われているためである。
【０１５９】
その後、ユーザが、操作部２７を介して、メモリカード３１内のコンテンツ再生の許否を入力する。再生制御部４２は、その許否通知を受けて再生許否を判別し、再生許可有りの場合（Ｓ４０でＹＥＳ）には当該コンテンツを再生する（Ｓ４１）。
【０１６０】
このように、図７の処理により光ディスク３０内のコンテンツをメモリカード３１に記録しておくことで、光ディスクドライブ２１への電力供給状態が良好でなくなっても、メモリカード３１内のコンテンツ再生に切り替えることができる。このため、光ディスク３０の再生が行えない状況になっても、光ディスクドライブ２１よりも電力消費が少ないメモリカードドライブ２２を利用して、比較的長期間にわたり記録再生装置１０の「コンテンツ再生機能」を維持することができる。また、当該処理は、上記の電力供給状態が良好であるときにメモリカード３１へコンテンツを記録しておくので、停電等が予想される状況にある場合に特に有効である。
【０１６１】
なお、Ｓ３３でＮＯの場合（光ディスク３０のコンテンツ再生中でない場合）、Ｓ３８でＮＯの場合、Ｓ４０でＮＯの場合には、メモリカード３１内のコンテンツを再生することができないので、図８の処理は終了する。
【０１６２】
（図７の代替処理）
ここで、図７の代替処理を図９に基づいて説明する。図９は、光ディスク３０内のコンテンツをメモリカード３１に記録する際の処理の別例を示すフローチャートである。なお、図９に示すＳ４２〜Ｓ４６の処理については、図７に示すＳ２２〜Ｓ２６の処理と同様であるため、その説明を省略する。
【０１６３】
Ｓ４６において、第２容量確認部５３が残容量有りと判別した場合（Ｓ４６でＹＥＳ）、再生制御部４２にその旨を通知する。再生制御部４２は、この通知を受けると、光ディスク３０内のコンテンツを読み出して再生するとともに、そのコンテンツを記憶部２６に順次格納する。また、再生制御部４２は、再生開始通知を第２記録制御部５２に送信する。
【０１６４】
第２記録制御部５２は、その再生開始通知を受けると、記憶部２６に順次格納されているコンテンツを読み出し、当該コンテンツをメモリカード３１に記録する（Ｓ４７）。すなわち、動作ユニット制御部２５３は、図７のＳ２７〜Ｓ２９の処理（光ディスク３０のコンテンツをメモリカード３１に記録してからコンテンツ再生を開始する処理）とは異なり、光ディスク３０内のコンテンツをメモリカード３１内にバッファリングしながら、当該コンテンツを再生する。
【０１６５】
これにより、光ディスク３０内のコンテンツ再生しながらメモリカード３１に当該コンテンツを記録していくことができる。このため、図９の処理後に図８の処理が行われることにより、上記と同様、メモリカードドライブ２２を利用した「コンテンツ再生機能」を維持することができる。また、当該処理は、上記の電力供給状態が良好であるときにメモリカード３１へコンテンツを自動的に記録しておくので、いつ停電等が起きるか想定できない状況にある場合に特に有効である。
【０１６６】
（再生時における切替処理（その２））
次に、光ディスクドライブ２１への電力供給状態が良好でなくなったときの再生制御切り替え処理の別例について説明する。ここでは、上記電力供給状態が良好でなくなったと判別された後に、メモリカード３１に光ディスク３０内のコンテンツを記録する場合について説明する。図１０は、光ディスクドライブ２１への電力供給状態が良好でなくなったときの再生制御切り替え処理の別例を示すフローチャートである。
【０１６７】
なお、図９に示すＳ５１〜Ｓ５６、Ｓ６０〜Ｓ６２の処理は、図８に示すＳ３１〜Ｓ３５、Ｓ３９〜Ｓ４１の処理と同様であるため、その説明を省略する。
【０１６８】
Ｓ５５において、電力供給制御部２５２が光ディスクドライブ２１への電力供給停止を確認すると、停止終了通知を第２容量確認部５３に送信する。第２容量確認部５３は、その通知を受けてメモリカード３１内の容量確認を行う（Ｓ５７）。この処理は、図７に示すＳ２５と同様の処理であり、以降、図７に示すＳ２６〜Ｓ２８と同様の処理が行われる（Ｓ５８〜Ｓ６０）。
【０１６９】
但し、Ｓ５５において、既に光ディスクドライブ２１への電力供給が停止されているため、Ｓ５９では、再生制御部４２が光ディスク３０からコンテンツを読み出している間、光ディスクドライブ２１には記録再生装置１０内からの電力供給を要する。このため、図１０に示す処理を実現する記録再生装置１０においては、光ディスクドライブ２１が内部電源（図５において不図示）に接続されており、電力供給制御部２５２は、上記のコンテンツ読み出し中、その内部電源から光ディスクドライブ２１への電力供給を行う。
【０１７０】
その後、第２記録制御部５２は、メモリカード３１へのコンテンツ記録が終了すると（Ｓ２８）、その終了通知をコンテンツ有無確認部５４に送信する。コンテンツ有無確認部５４は、この終了通知を受けて、表示制御部（不図示）に、メモリカード３１内のコンテンツを再生するか否かをユーザに確認させるためのユーザ確認表示を行わせる（Ｓ６０）。
【０１７１】
このように、図１０では、光ディスクドライブ２１への電力供給状態が良好でなくなった場合に、メモリカード３１への記録及び再生を一連の処理の中で行う。このため、上述した「（再生時における切替処理（その１））」で説明したように当該記録と再生とを別のタイミングで行わないので、切り替え処理の簡略化を図ることができ、記録再生装置１０への処理負担を軽減することができる。
【０１７２】
（記録時における切替処理（その１））
次に、光ディスクドライブ２１への電力供給状態が良好でなくなったときの記録制御切り替え処理の一例について説明する。図１１は、光ディスク３０へのコンテンツ記録中に上記の電力供給状態が良好でなくなったときの切り替え処理の一例を示すフローチャートである。また、図１２は、上記の電力供給状態が回復したときの処理の一例を示す図である。
【０１７３】
なお、ここでは、光ディスク３０への記録されるコンテンツは、記録再生装置１０に接続されているチューナ（不図示）を介して受信する放送コンテンツであるものとして説明する。また、記録制御部４３は、放送コンテンツを受信すると、当該コンテンツを順次光ディスク３０に記録していくものとする。
【０１７４】
図１１では、まず、電力供給状態判別部２５１は、光ディスクドライブ２１への電力供給状態が良好でなくなったと判別した場合に、給電状態悪化信号を記録状態確認部４６に送信する。記録状態確認部４６は、給電状態悪化信号を受けると（Ｓ７１）、記録制御部４３が光ディスク３０にコンテンツを記録しているか否かを確認する（Ｓ７２）。その結果、記録状態確認部４６は、記録中であると判別した場合（Ｓ７３でＹＥＳ）には、記録制御部４３に、光ディスク３０へのコンテンツ記録を停止するよう指示する。記録制御部４３は、この指示を受けて、コンテンツ記録を停止する（Ｓ７４）。このとき、制御部２５は、これ以降に受信するコンテンツを一時的に記憶部２６に格納する。
【０１７５】
記録制御部４３は、コンテンツ記録を停止すると、電力供給制御部２５２に記録停止通知を送信する。電力供給制御部２５２は、この記録停止通知を受けると、光ディスクドライブ２１への外部電源２からの電力供給を停止させ（Ｓ７５）、内部電源２４からメモリカードドライブ２２への電力供給を開始する（Ｓ７６）。なお、Ｓ７５における停止方法については、図８に示すＳ３５で述べたとおりである。
【０１７６】
次に、電力供給制御部２５２が光ディスクドライブ２１への電力供給停止を確認すると、停止終了通知を第２容量確認部５３に送信する。第２容量確認部５３は、その通知を受けてメモリカード３１内の容量確認を行い（Ｓ７７）、残容量有りと判別した場合（Ｓ７８でＹＥＳ）、第２記録制御部５２にその旨を通知する。第２記録制御部５２は、光ディスク３０に未記録のコンテンツ（Ｓ７４以降に受信し、光ディスク３０に記録できなかった放送コンテンツ）を記憶部２６から読み出し、メモリカード３１に記録する（Ｓ７９）。そして、第２記録制御部５２が、その未記録のコンテンツのメモリカード３１への記録が終了することにより（Ｓ８０）、図１１の処理は終了する。
【０１７７】
なお、上記では、Ｓ７４において、バッファとして機能する記憶部２６に受信したコンテンツを一時記憶し、Ｓ７９において当該コンテンツをメモリカード３１に記録している。これは、光ディスク３０からメモリカード３１へコンテンツの記録先が切り替わる際に、メモリカード３１に記録されるコンテンツが、光ディスク３０に記録されたコンテンツの続きから途切れることなく記録されるようにするためである。
【０１７８】
このため、上記の記録先の切り替えの際にコンテンツが途切れないようにのみ、記憶部２６に対するコンテンツの一時記憶および読み出しが行われることが好ましい。すなわち、メモリカード３１へのコンテンツ記録（録画）が開始された後は、メモリカード３１のみに録画が行われ、記憶部２６への録画は停止されることが好ましい。光ディスク３０に記録されたコンテンツの続きが途切れることなくメモリカード３１に記録することが可能となった状況においては、上記の一時記憶および読み出しといった処理を行う必要がないためである。この場合、さらに省電力化を図ることができる。
【０１７９】
なお、記憶部２６への録画を停止するタイミングは、コンテンツの一部がメモリカード３１に録画されないという事態が発生しないように、第２記録制御部５２が記憶部２６に一時記憶したコンテンツを全てメモリカード３１へ録画し終えた後とすることが好ましい。この場合、例えば、Ｓ８０の処理が終了したときに、制御部２５が記憶部２６へのコンテンツ格納を停止する。
【０１８０】
また、記憶部２６に一時記憶したコンテンツをメモリカード３１へ録画する際、第２記録制御部５２は、例えば、記憶部２６内のコンテンツを全てメモリカード３１へ記録するまで、メモリカード３１へのコンテンツ録画速度を、制御部２５による記録部２６へのコンテンツ録画速度よりも早くすることにより、メモリカード３１への録画が終わるまでの時間を短縮することが可能となる。
【０１８１】
このように、図１１の処理によれば、光ディスクドライブ２１の電力供給状態が良好でなくなっても、その後受信するコンテンツを、光ディスク３０の代わりにメモリカード３１に記録することができる。このため、光ディスク３０への記録が行えない状況になっても、光ディスクドライブ２１よりも電力消費が少ないメモリカードドライブ２２を利用して、比較的長期間にわたり記録再生装置１０の「コンテンツ記録機能」を維持することができる。
【０１８２】
なお、Ｓ７３でＮＯの場合（光ディスク３０のコンテンツ記録中でない場合）、Ｓ７７でＮＯの場合には、メモリカード３１内にコンテンツを記録することができないので、図１１の処理は終了する。
【０１８３】
次に、図１２を用いて、光ディスクドライブ２１への電力供給回復後の処理について説明する。
【０１８４】
電力供給状態判別部２５１は、光ディスクドライブ２１への電力供給状態が良好になったと判別した場合に、給電状態良好信号を記録状態確認部４６に送信する。記録状態確認部４６は、給電状態良好信号を受けると（Ｓ８１）、記録制御部４３による光ディスク３０へのコンテンツ記録が完了しているかを確認する（Ｓ８２）。この場合、記録状態確認部４６は、例えば制御部２５による電子番組ガイド（ＥＰＧ：Electronic Program Guide）の利用、ユーザへの確認、光ディスク３０へのコンテンツ記録時に電力供給状態が良好でない場合があったか否かの判別などを行うことにより、上記コンテンツ記録の完了／未完了を確認する（Ｓ８３）。
【０１８５】
その結果、記録状態確認部４６は、上記コンテンツが未完了であると判別した場合（Ｓ８３でＹＥＳ）、その旨をコンテンツ有無確認部５４に通知する。コンテンツ有無確認部５４は、この通知を受けると、メモリカード３１内のコンテンツを確認し（Ｓ８４）、コンテンツが存在する場合（Ｓ８５でＹＥＳ）には、容量確認部４４にその旨を通知する。
【０１８６】
容量確認部４４は、この通知を受けると、記憶部２６に格納されているコンテンツの容量を確認し（Ｓ８６）、光ディスク３０内の残容量を確認する（Ｓ８７）。容量確認部４４は、コンテンツの容量よりも光ディスク３０内の残容量が多い場合には「残容量有り」と判別し（Ｓ８８でＹＥＳ）、その判別結果を記録制御部４３に送信する。
【０１８７】
記録制御部４３は、その判別結果を受けて光ディスク３０に未記録のコンテンツを記録し（Ｓ８９）、その記録が完了すると（Ｓ９０）、記録完了通知を第２記録制御部５２に送信する。第２記録制御部５２は、その記録完了通知を受けると、メモリカード３１内のコンテンツ（Ｓ８９にて光ディスク３０に記録されたコンテンツ）を消去する（Ｓ９１）。
【０１８８】
なお、Ｓ８３でＮＯ、及びＳ８５でＮＯの場合には、光ディスク３０に未記録のコンテンツが無いため、Ｓ８８でＮＯ（「残容量無し」）の場合には、光ディスク３０にコンテンツを記録できないため、図１２の処理は終了する。
【０１８９】
このように、図１１の処理によれば、光ディスク３０にコンテンツ記録中に光ディスクドライブ２１への電力供給状態が良好でなくなっても、そのコンテンツ全てをメモリカード３１に記録することができる。すなわち、その状態が良好でなくなっても、光ディスクドライブ２１よりも電力消費が少ないメモリカードドライブ２２を利用して、比較的長期間にわたり記録再生装置１０の「コンテンツ記録機能」を維持することができる。
【０１９０】
また、図１２の処理によれば、電力供給状態が回復した後に、光ディスク３０にそのコンテンツ全てを記録することができるので、電力供給状態が良好でなくなったことによる光ディスク３０への記録漏れを防ぐことができる。すなわち、その状態が良好でなくなっても、常に良好である場合と同様、コンテンツ全てを光ディスク３０に記録することができる。また、その状態が良好でなくなった場合であっても、当該状態の回復とともに光ディスク３０での一元管理が可能となる。
【０１９１】
（取り出し時における処理（その１））
次に、光ディスク３０の取り出し時における処理について説明する。図１３は、光ディスク３０のコンテンツ再生中に光ディスク３０の取り出しを行う場合の処理の一例を示すフローチャートである。また、図１４は、光ディスク３０へのコンテンツ記録中に光ディスク３０の取り出しを行う場合の処理の一例を示すフローチャートである。
【０１９２】
図１３では、まず、装填確認部４１は、操作部２７を介して光ディスク３０の取り出し指示を受けると、その旨を示す取り出し信号を再生状態確認部４５に送信する。再生状態確認部４５は、取り出し信号を受けると（Ｓ１０１）、再生制御部４２が光ディスク３０内のコンテンツを再生しているか否かを確認する（Ｓ１０２）。その後、図８に示すＳ３３及びＳ３４の処理を行う（Ｓ１０３及びＳ１０４）。再生制御部４２は、光ディスク３０のコンテンツ再生が停止していることを確認した後、再生停止通知をコンテンツ有無確認部５４および電力供給制御部２５２に送信する。電力供給制御部２５２は、この再生停止通知を受けると、図８のＳ３６と同様、メモリカードドライブ２２への電力供給を開始する（Ｓ１０５）。
【０１９３】
また、コンテンツ有無確認部５４は、この再生停止通知を受けると、メモリカード３１内のコンテンツを確認し（Ｓ１０６）、コンテンツが存在する場合（Ｓ１０７でＹＥＳ）には、その旨を第２記録制御部５２に送信する。第２記録制御部５２は、この通知を受けると、メモリカード３１内に存在するコンテンツの消去を開始し（Ｓ１０８）、その消去が終了すると（Ｓ１０９）、消去終了通知を光ディスクドライブ制御部４に送信する。光ディスクドライブ制御部４は、その消去終了通知を受けて光ディスク３０を排出する（Ｓ１１０）。
【０１９４】
なお、Ｓ１０３でＮＯの場合にはＳ１０５の処理に移行する。また、Ｓ１０７でＮＯの場合には、メモリカード３１内のコンテンツを消去することができないので、図１３の処理は終了する。
【０１９５】
次に、図１４では、装填確認部４１は、操作部２７を介して光ディスク３０の取り出し指示を受けると、その旨を示す取り出し信号を記録状態確認部４６に送信する。記録状態確認部４６は、取り出し信号を受けると（Ｓ１１１）、記録制御部４３が光ディスク３０にコンテンツを記録しているか否かを確認する（Ｓ１１２）。その後、図１１に示すＳ７３及びＳ７４の処理を行う（Ｓ１１３及びＳ１１４）。記録制御部４３は、光ディスク３０のコンテンツ記録が停止していることを確認した後、記録停止通知をコンテンツ有無確認部５４および電力供給制御部２５２に送信する。電力供給制御部２５２は、この記録停止通知を受けると、図１１のＳ７６と同様、メモリカードドライブ２２への電力供給を開始する（Ｓ１１５）。
【０１９６】
また、コンテンツ有無確認部５４は、この記録停止通知を受けると、メモリカード３１内のコンテンツを確認する（Ｓ１１６）。その後、図１２に示すＳ８５〜Ｓ９１の処理が行われる（Ｓ１１７〜Ｓ１２３）。第２記録制御部５２は、メモリカード３１内に存在するコンテンツの消去が終了すると（Ｓ１２４）、消去終了通知を光ディスクドライブ制御部４に送信する。光ディスクドライブ制御部４は、その消去終了通知を受けて光ディスク３０を排出する（Ｓ１２５）。
【０１９７】
このように、図１３及び図１４の処理では、光ディスク３０取り出し時に、メモリカード３１内のコンテンツを光ディスク３０に記録するので、コンテンツを他の光ディスクに分割して記録してしまうことがない。また、光ディスク３０取り出し時に、メモリカード３１内のコンテンツを消去するので、メモリカード３１にコンテンツを記録しても、そのコンテンツが流出してしまうという事態を未然に防ぐことができ、コンテンツの保護を図ることができる。さらに、メモリカード３１への記録を一時的なものとすることにより、メモリカード３１の容量が少なくて済む。
【０１９８】
（取り出し時における切替処理（その２））
次に、図１５を用いて、光ディスク３０の取り出し時における更なる処理について説明する。図１５は、光ディスク３０のコンテンツ再生中に光ディスク３０の取り出しを行う場合の処理の別例を示すフローチャートである。
【０１９９】
まず、装填確認部４１は、操作部２７を介して光ディスク３０の取り出し指示を受けると、その旨を示す取り出し信号を再生状態確認部４５あるいは記録状態確認部４６に送信する。その後、図１３に示すＳ１０１〜Ｓ１０７の処理、あるいは図１４に示すＳ１１１〜Ｓ１１７の処理が行われる（Ｓ１３１〜Ｓ１３７）。
【０２００】
コンテンツ有無確認部５４は、コンテンツが存在する場合（Ｓ１３７でＹＥＳ）には、その旨を再生制御部４２に送信する。再生制御部４２は、この通知を受けると、光ディスク３０の管理領域（例えばＢＣＡ（Burst Cutting Area））に記録されたディスク識別情報を読み出し、光ディスク３０のディスクタイプを確認する（Ｓ１３８）。その結果、再生制御部４２は、当該ディスクタイプが記録型であると判別すると（Ｓ１３９でＹＥＳ）、その判別結果を容量確認部４４に送信する。なお、上記のディスク識別情報には、光ディスク３０の記録層のタイプ（再生専用型、記録型（追記型、書き換え型））などが含まれている。
【０２０１】
容量確認部４４は、この判別結果を受けると、記憶部２６に格納されているコンテンツの容量を確認し（Ｓ１４０）、光ディスク３０内の残容量を確認する（Ｓ１４１）。その後、図１４に示すＳ１２０〜Ｓ１２５の処理を行う（Ｓ１４２〜Ｓ１４７）。
【０２０２】
このように、図１５の処理によれば、光ディスク３０取り出し時に、光ディスク３０のディスクタイプが記録型であることを確認した後に、未記録のコンテンツの光ディスク３０への記録、メモリカード３１内の当該コンテンツの消去を行う。このため、図１３及び図１４の処理が奏する効果に加え、光ディスク３０のディスクタイプを識別することで、直前に光ディスク３０が再生あるいは記録動作のどちらを行っていたかを判別することができる。そのため、直前に記録動作を行っていた場合のみを識別し、未記録のコンテンツを確実に光ディスク３０に記録することができる。
【０２０３】
なお、上記では、ディスク排出を行う際、最終的にメモリカード３１内のコンテンツを自動で消去する例を示しているが、これに限定されるものではない。ディスク排出後、ユーザ操作によってメモリカード３１内のコンテンツを消去するようにしても、あるいはメモリカード３１の残容量がなくなった場合に、自動で消去されるようにしても良い。
【０２０４】
〔本発明の別の表現〕
本発明は、以下のようにも表現できる。
【０２０５】
上述した本発明に係る電力動作装置を動作させるための制御プログラムであって、コンピュータを上記の各部として機能させるための制御プログラム、及び、当該制御プログラムを記録したコンピュータ読み取り可能な記録媒体も本発明の技術範囲に含まれる。上記制御プログラムによれば、コンピュータで上記の各部を実現することにより、コンピュータ上で電力動作装置を実現することができる。また、上記記録媒体によれば、記録媒体から読み出される制御プログラムを、汎用のコンピュータ上で実現することができる。
【０２０６】
すなわち、本発明に係る電力動作装置（電動装置）は、第１の駆動ユニットと前記第１の駆動ユニットよりも消費電力が少ない第２の駆動ユニットと、外部からの給電状態を判別する給電状態判別手段と、前記外部給電状態判別手段の判別結果に基づいて、第１の駆動ユニットまたは第２の駆動ユニット装置を動作させる駆動ユニット制御手段とを備え、
前記第１の駆動ユニットと第２の駆動ユニットの機能はほぼ同一であり、前記第１の駆動ユニットと第２の駆動ユニットの動作は異なる構成である。
【０２０７】
また、上記電力動作装置は、第１の駆動ユニット及び第２の駆動ユニットが更に第３の駆動ユニットを共有しており、前記第３の駆動ユニットは、通常の電力消費をする通常動作モードと、通常動作モードよりも消費電力の少ない省電力動作モードと、を有しており、前記外部給電状態判別手段の判別結果を受けて、前記第３の駆動ユニットの通常動作モードまたは省電力動作モードのどちらか一方に切り替える第３の駆動ユニット切替手段を有することが好ましい。
【０２０８】
また、本発明に係る光情報記録媒体の情報記録再生装置において、該記録再生装置は、光情報記録媒体の記録再生ユニットと、バッファメモリと、内部電源とを備えており、外部給電状態を認識し良好状態/悪化状態を判定する外部給電状態の判定手段と、（前記判定結果を受けて）外部給電と内部電源による内部給電とを切り替える給電先切換手段と、（前記判定結果を受けて）光情報記録媒体の記録再生ユニットの動作のON/OFFを切り替える記録再生ユニット動作ON/OFF切換手段と、（上記判定結果を受けて）バッファメモリの動作のON/OFFを切り替えるバッファメモリ動作ON/OFF切換手段とを有する構成である。
【０２０９】
また、本発明に係る光情報記録媒体の情報記録再生装置において、該記録再生装置は、光情報記録媒体の記録再生ユニットと、バッファメモリと、内部電源とを備えており、外部給電状態を認識し良好状態/悪化状態を判定する外部給電状態の判定手段と、（前記判定結果を受けて）外部給電と内部電源による内部給電とを切り替える給電先切換手段と、（前記判定結果を受けて）光情報記録媒体の記録再生ユニットの動作を停止する記録再生ユニット動作停止手段と、（上記判定結果を受けて）バッファメモリの動作を開始するバッファメモリ動作開始手段とを有する構成である。
【０２１０】
また、上記情報記録再生装置において、上記外部給電状態の判定は、外部給電の有無を認識し判定することが好ましい。
【０２１１】
また、上記情報記録再生装置において、上記外部給電状態の判定は、外部給電の電圧値を認識し判定することが好ましい。
【０２１２】
また、上記情報記録再生装置において、上記外部給電状態の判定は、外部給電の電圧値の変動量を認識し判定することが好ましい。
【０２１３】
また、上記情報記録再生装置において、光情報記録媒体の記録再生ユニットの動作停止前の動作状態が光情報記録媒体を再生しているかどうかを認識する記録再生ユニットの再生動作認識手段を有することが好ましい。
【０２１４】
また、上記情報記録再生装置において、外部給電状態判定手段の判定結果が良好状態にあって、光情報記録媒体挿入した際に、光情報記録媒体に記録されているコンテンツの全てあるいは一部をバッファメモリに記録するコンテンツの記録手段と、上記再生動作認識手段において、動作状態が再生されていると認識されており、外部給電状態判定手段の判定結果が悪化状態になった場合に、記録再生ユニットのON/OFF切換手段あるいは記録再生ユニット動作停止手段により、記録再生ユニットの動作を停止させる動作停止手段と、バッファメモリのON/OFF切替手段あるいはバッファメモリの動作開始手段により、バッファメモリの動作を開始しバッファメモリに記録されたコンテンツの再生を行うコンテンツ再生手段と、を有することが好ましい。
【０２１５】
また、上記情報記録再生装置において、外部給電状態判定手段の判定結果が良好状態にあって、光情報記録媒体の再生動作中に、光情報記録媒体に記録されているコンテンツの全てあるいは一部をバッファメモリに記録するコンテンツの記録手段と、上記再生動作認識手段において、動作状態が再生されていると認識されており、外部給電状態判定手段の判定結果が悪化状態になった場合に、記録再生ユニットのON/OFF切換手段あるいは記録再生ユニット動作停止手段により、記録再生ユニットの動作を停止させる動作停止手段と、バッファメモリのON/OFF切替手段あるいはバッファメモリの動作開始手段により、バッファメモリの動作を開始しバッファメモリに記録されたコンテンツの再生を行うコンテンツ再生手段と、を有することが好ましい。
【０２１６】
上記情報記録再生装置において、上記再生動作認識手段において、動作状態が再生されていると認識されており、光情報記録媒体の再生動作中に、外部給電状態が悪化状態と判定された場合、光情報記録媒体の記録再生ユニットを停止する前に上記内部電源による内部給電によって、光情報記録媒体に記録されているコンテンツの全てあるいは一部をバッファメモリに記録するコンテンツの記録手段と、記録再生ユニットのON/OFF切換手段あるいは記録再生ユニット動作停止手段により、記録再生ユニットの動作を停止させる動作停止手段と、バッファメモリのON/OFF切替手段あるいはバッファメモリの動作開始手段により、バッファメモリの動作を開始しバッファメモリに記録されたコンテンツの再生を行うコンテンツ再生手段と、を有することが好ましい。
【０２１７】
また、上記情報記録再生装置において、光情報記録媒体の取り出し信号を受けて、バッファメモリ内にコンテンツの有無を確認するコンテンツ有無確認手段と、上記再生動作認識手段において、動作状態が再生であると認識されており、上記コンテンツ有無確認手段においてコンテンツ有りと判定された場合にコンテンツを消去するコンテンツ消去手段とを有することが好ましい。
【０２１８】
上記情報記録再生装置において、外部からコンテンツを入力するための外部コンテンツ入力ユニットを備えており、光情報記録媒体の記録再生ユニットの動作停止前の動作状態が光情報記録媒体に外部から入力されたコンテンツを記録しているかどうかを認識する記録再生ユニットの記録動作認識手段を有することが好ましい。
【０２１９】
また、上記光情報記録再生装置において、上記記録動作認識手段において、動作状態が記録であると認識されており、光情報記録媒体へ外部から入力されたコンテンツを記録動作中に、外部給電状態判定手段の判定結果が悪化状態になった場合に、記録再生ユニットのON/OFF切換手段あるいは記録再生ユニット動作停止手段により、記録再生ユニットの動作を停止させる動作停止手段と、バッファメモリのON/OFF切替手段あるいはバッファメモリの動作開始手段により、バッファメモリの動作を開始し、バッファメモリに外部から入力されたコンテンツの記録を行うことが好ましい。
【０２２０】
また、上記光情報記録再生装置において、上記動作状態認識手段において、動作状態が記録であると認識されている場合に、新たに外部給電の開始後、自動的で、バッファメモリ内のデータを光情報記録媒体に全てあるいは一部を記録する手段を有することが好ましい。
【０２２１】
また、上記光情報記録再生装置において、上記動作状態認識手段において、動作状態が録画であると認識されていた場合に、ディスク取り出し信号を受けて、自動的でバッファメモリ内のデータを光情報記録媒体に全てあるいは一部を記録する手段を有することが好ましい。
【０２２２】
また、上記光情報記録再生装置において、光情報記録媒体の取り出し信号を受けて、バッファメモリ内にコンテンツの有無を確認するコンテンツ有無確認手段と、上記再生動作認識手段において、動作状態が録画であると認識されており、上記コンテンツ有無確認手段においてコンテンツ有りと判定された場合にコンテンツを消去するコンテンツ消去手段とを有することが好ましい。
【０２２３】
〔補足〕
最後に、電力動作装置１あるいは動作ユニット制御装置３の各ブロック、特に制御部１５の電力供給状態判別部１５１、電力供給制御部１５２、動作ユニット制御部１５３及びモード決定部１５４は、ハードウェアロジックによって構成してもよいし、次のようにＣＰＵを用いてソフトウェアによって実現してもよい。また、電力動作装置１として機能する記録再生装置１０の各ブロック、特に制御部２５の電力供給状態判別部２５１、電力供給制御部２５２、動作ユニット制御部２５３及びモード決定部２５４についても同様である。なお、この動作ユニット制御部１５３には、光ディスクドライブ制御部４（装填確認部４１、再生制御部４２、記録制御部４３、容量確認部４４、再生状態確認部４５、記録状態確認部４６）、メモリカードドライブ２２（第２再生制御部５１、第２記録制御部５２、第２容量確認部５３、コンテンツ有無確認部５４）及びデコーダ／エンコーダ制御部６を含む。
【０２２４】
すなわち、電力動作装置１、動作ユニット制御装置３及び記録再生装置１０は、各機能を実現する制御プログラムの命令を実行するＣＰＵ（central processing unit）、前記プログラムを格納したＲＯＭ（read only memory）、前記プログラムを展開するＲＡＭ（random access memory）、前記プログラムおよび各種データを格納するメモリ等の記憶装置（記録媒体）などを備えている。そして、本発明の目的は、上述した機能を実現するソフトウェアである電力動作装置１、動作ユニット制御装置３及び記録再生装置１０の制御プログラムのプログラムコード（実行形式プログラム、中間コードプログラム、ソースプログラム）をコンピュータで読み取り可能に記録した記録媒体を、前記電力動作装置１、動作ユニット制御装置３及び記録再生装置１０に供給し、そのコンピュータ（又はＣＰＵやＭＰＵ）が記録媒体に記録されているプログラムコードを読み出し実行することによっても、達成可能である。
【０２２５】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２６】
また、電力動作装置１、動作ユニット制御装置３及び記録再生装置１０を通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０２２７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０２２８】
本発明は、所定の機能を実現する動作ユニットへの電力供給状態が長期的に停止あるいは不安定になったときでも、本来得られるべき機能が実現されている状態を維持することができる。このため、例えばそのような電力供給状態が長期的に停止あるいは不安定な状況に陥る可能性のある各種の電力動作装置などに好適である。
【符号の説明】
【０２２９】
１    電力動作装置（食品保存装置、屋内冷却装置、情報再生装置、情報記録装置）
１ａ  電力動作装置（食品保存装置、屋内冷却装置、情報再生装置、情報記録装置）
１ｂ  電力動作装置（食品保存装置、屋内冷却装置、情報再生装置、情報記録装置）
３    動作ユニット制御装置
１１  第１動作ユニット（食品冷却装置、第１冷却装置、第１駆動装置）
１２  第２動作ユニット（真空保存装置、第２冷却装置、第２駆動装置）
１３  第３動作ユニット（コンプレッサ、デコーダ、エンコーダ）
１４  内部電源
２１  光ディスクドライブ（第１動作ユニット）
２２  メモリカードドライブ（第２動作ユニット）
２４  内部電源
３０  光ディスク（情報記録媒体、第１情報記録媒体）
３１  メモリカード（情報記録媒体、第２情報記録媒体）
１５１  電力供給状態判別部（電力供給状態判別手段）
１５３  動作ユニット制御部（動作ユニット制御手段）
１５４  モード決定部（モード決定手段）
２３１  デコーダ（第３動作ユニット）
２３２  エンコーダ（第３動作ユニット）
２５１  電力供給状態判別部（電力供給状態判別手段）
２５３  動作ユニット制御部（動作ユニット制御手段）
２５４  モード決定部（モード決定手段）
【図１】
0005451685.tif 000002
【図２】
0005451685.tif 000003
【図３】
0005451685.tif 000004
【図４】
0005451685.tif 000005
【図５】
0005451685.tif 000006
【図６】
0005451685.tif 000007
【図７】
0005451685.tif 000008
【図８】
0005451685.tif 000009
【図９】
0005451685.tif 000010
【図１０】
0005451685.tif 000011
【図１１】
0005451685.tif 000012
【図１２】
0005451685.tif 000013
【図１３】
0005451685.tif 000014
【図１４】
0005451685.tif 000015
【図１５】
0005451685.tif 000016